(57)【特許請求の範囲】
【請求項１】
ネットワーク機器構成のための方法であって、
第１のネットワーク機器が前記第１のネットワーク機器の第１の通信インターフェースを介して、通信ネットワークのゲートウェイに結合されるかどうか、及びワイドエリアネットワークが前記第１の通信インターフェースを介して前記第１のネットワーク機器にアクセス可能であるかどうかを決定することと、
前記第１のネットワーク機器が、前記第１の通信インターフェースを介して、前記ゲートウェイに結合されること、および、前記ワイドエリアネットワークが、前記第１の通信インターフェースを介して前記第１のネットワーク機器にアクセス可能であること、に少なくとも部分的に基づいて、前記第１のネットワーク機器が前記通信ネットワークの中央アクセスポイントであることを決定することと、
前記第１のネットワーク機器が前記中央アクセスポイントであると決定したことに応答して、前記第１のネットワーク機器を構成するための動作パラメータを決定することと、
を備え、
前記ワイドエリアネットワークが、前記第１の通信インターフェースを介して前記第１のネットワーク機器にアクセス可能であるかどうかを決定することは、動的ホスト構成プロトコル（ＤＨＣＰ）サーバが前記第１の通信インターフェースからアクセス可能であるかどうかを決定することを備える、方法。
【請求項２】
前記第１のネットワーク機器は、第２の通信インターフェースを更に含み、ここにおいて、前記第１の通信インターフェース及び前記第２の通信インターフェースは、同じ通信プロトコルを使用する、請求項１に記載の方法。
【請求項３】
前記第１のネットワーク機器は、第２の通信インターフェースを更に含み、ここにおいて、前記第１の通信インターフェース及び前記第２の通信インターフェースは、異なる通信プロトコルを使用する、請求項１に記載の方法。
【請求項４】
前記第１のネットワーク機器が前記中央アクセスポイントではないと決定することと、
前記第１のネットワーク機器に関連する性能測定に、少なくとも部分的に、基づいて前記第１のネットワーク機器を構成する方法を決定することと
を更に備える、請求項１に記載の方法。
【請求項５】
前記第１のネットワーク機器を構成する方法を決定することは、アクセスポイント、クライアントステーション又は中継機器として前記第１のネットワーク機器を構成すべきかどうかを決定することを備える、請求項４に記載の方法。
【請求項６】
前記第１のネットワーク機器に関連する前記性能測定は、前記第１のネットワーク機器と前記中央アクセスポイントとの間のワイヤレス通信リンクの品質、前記第１のネットワーク機器と前記中央アクセスポイントとの間の電力線通信（ＰＬＣ）リンクの品質及び前記第１のネットワーク機器におけるワイヤレスカバレージの品質から成るグループから選択される少なくとも１つの要素を含む、請求項４に記載の方法。
【請求項７】
前記第１のネットワーク機器と前記中央アクセスポイントとの間の前記ワイヤレス通信リンクの前記品質は、前記第１のネットワーク機器のワイヤレスネットワークインターフェースにおいて前記中央アクセスポイントから受信されたワイヤレス信号の信号強度であり、
前記第１のネットワーク機器と前記中央アクセスポイントとの間の前記ＰＬＣリンクの前記品質は、前記第１のネットワーク機器の電力線ネットワークインターフェースにおいて前記中央アクセスポイントから受信された電力線信号の信号強度である、請求項６に記載の方法。
【請求項８】
前記第１のネットワーク機器におけるワイヤレスカバレージの前記品質は、前記通信ネットワークの複数のアクセスポイントからの前記第１のネットワーク機器のワイヤレスネットワークインターフェースにおいて測定された複数の信号強度値のうちの最大値であり、ここにおいて、前記中央アクセスポイントが前記複数のアクセスポイントのうちの１つである、請求項６に記載の方法。
【請求項９】
前記第１のネットワーク機器を構成する方法を決定することは、
前記第１のネットワーク機器のアクセスポイントモジュールを使用可能にすべきか、又は使用不可にすべきかを決定すること、及び
前記第１のネットワーク機器のクライアントステーションモジュールを使用可能にすべきか、又は使用不可にすべきかを決定すること
から成るグループから選択される要素のうちの少なくとも１つを備える、請求項４に記載の方法。
【請求項１０】
前記第１のネットワーク機器を構成する方法を決定することは、前記第１のネットワーク機器と前記中央アクセスポイントとの間の通信ホップの数に更に基づく、請求項４に記載の方法。
【請求項１１】
前記第１のネットワーク機器を構成する方法を決定することは、
前記第１のネットワーク機器のアクセスポイントモジュールをアクティブ化することと、前記第１のネットワーク機器のクライアントステーションモジュールを使用不可にすることとによって、アクセスポイントとして前記第１のネットワーク機器を構成すべきか、
前記アクセスポイントモジュールを使用不可にすることと、前記クライアントステーションモジュールをアクティブ化することとによって、シンク機器として前記第１のネットワーク機器を構成すべきか、
前記アクセスポイントモジュールと前記クライアントステーションモジュールの両方をアクティブ化することによって、中継機器として前記第１のネットワーク機器を構成すべきか、又は
前記アクセスポイントモジュールと前記クライアントステーションモジュールの両方を使用不可にすることによって、前記第１のネットワーク機器のワイヤレス通信を使用不可にすべきか
を決定することを備える、請求項４に記載の方法。
【請求項１２】
前記第１のネットワーク機器を構成する方法を決定することは、
アクセスポイントとして前記第１のネットワーク機器を構成すべきかどうかを決定することと、
アクセスポイントとして前記第１のネットワーク機器を構成すべきであると決定したことに応答して前記中央アクセスポイントと同じ通信チャネル上で動作するように前記第１のネットワーク機器のアクセスポイントモジュールを構成することと
を備える、請求項４に記載の方法。
【請求項１３】
前記第１のネットワーク機器を構成する方法を決定するための動作を再実行すべきかどうかを決定するために、前記第１のネットワーク機器に関連する前記性能測定を監視することを更に備える、請求項４に記載の方法。
【請求項１４】
前記第１のネットワーク機器が前記第１の通信インターフェースを介して前記ゲートウェイに結合されると前記決定することは、前記第１のネットワーク機器のワイヤードインターフェースが１つの通信ホップにより前記ゲートウェイに結合されると決定することを備える、請求項１に記載の方法。
【請求項１５】
２つ以上の通信ホップにより前記ゲートウェイに結合される前記第１のネットワーク機器のイーサネットインターフェースに、少なくとも部分的に、基づいて、前記第１のネットワーク機器が前記中央アクセスポイントではないと決定することを更に備える、請求項１に記載の方法。
【請求項１６】
前記第１のネットワーク機器が前記第１の通信インターフェースを介して前記ゲートウェイに結合されるかどうかを前記決定することは、前記第１のネットワーク機器のイーサネットインターフェースがイーサネット通信媒体を介して１つの通信ホップにより前記ゲートウェイに結合すると決定することを備える、請求項１に記載の方法。
【請求項１７】
前記第１のネットワーク機器は、前記第１のネットワーク機器を対応する複数の通信媒体に結合する複数のネットワークインターフェースを備える、請求項１に記載の方法。
【請求項１８】
前記動作パラメータを使用して前記第１のネットワーク機器を構成することと、
前記第１のネットワーク機器の構成を変更すべきかどうかを決定するために前記通信ネットワークを監視することと
を更に備える、請求項１に記載の方法。
【請求項１９】
前記動作パラメータは、動作通信帯域、動作通信チャネル及び送信電力から成るグループから選択される少なくとも１つの要素を備える、請求項１に記載の方法。
【請求項２０】
前記第１のネットワーク機器が前記中央アクセスポイントであると決定したことに応答して、
前記通信ネットワークがレガシーアクセスポイントを含むことを決定することと、
前記第１のネットワーク機器に関連する前記動作パラメータと、前記レガシーアクセスポイントに関連する動作パラメータとに、少なくとも部分的に、基づいて前記第１のネットワーク機器を構成することと
を更に備える、請求項１に記載の方法。
【請求項２１】
前記動作パラメータを決定することは、
前記第１のネットワーク機器が動作するように構成される動作通信帯域を識別することと、
前記動作通信帯域内の動作通信チャネルを選択することと、
前記動作通信チャネルを使用して通信するように前記第１のネットワーク機器を構成することとを備える、請求項１に記載の方法。
【請求項２２】
前記動作通信チャネル上で前記中央アクセスポイントからの通信のための送信電力レベルを選択することを更に備える、請求項２１に記載の方法。
【請求項２３】
前記第１のネットワーク機器が前記中央アクセスポイントではないと決定することと、
前記中央アクセスポイントを識別する指示を前記第１のネットワーク機器が受信したかどうかを決定することと、
前記指示を前記第１のネットワーク機器が受信していないと決定したことに応答して、
前記中央アクセスポイントを識別して前記中央アクセスポイントの通信資格情報を決定するためのメッセージを前記通信ネットワークにおいてブロードキャストすることとを更に備える、請求項１に記載の方法。
【請求項２４】
前記第１のネットワーク機器が前記中央アクセスポイントではないと決定することと、
前記中央アクセスポイントから受信された通信資格情報に、少なくとも部分的に、基づいて、前記第１のネットワーク機器と前記中央アクセスポイントとの間の通信リンクを確立することと、
前記第１のネットワーク機器と前記中央アクセスポイントとの間の前記通信リンクを確立した後に前記第１のネットワーク機器を構成する方法を決定することと
を更に備える、請求項１に記載の方法。
【請求項２５】
前記第１のネットワーク機器が前記中央アクセスポイントではないと決定することと、
前記中央アクセスポイントに関連する動作パラメータ及び前記第１のネットワーク機器の構成に、少なくとも部分的に、基づいて、前記第１のネットワーク機器に関連する前記動作パラメータを決定すること
を更に備える、請求項１に記載の方法。
【請求項２６】
前記第１のネットワーク機器のネットワークインターフェースのブリッジング動作を使用可能にすべきかどうかを決定することを更に備える、請求項１に記載の方法。
【請求項２７】
前記第１のネットワーク機器を構成する方法を決定することは、
中継機器として前記第１のネットワーク機器を構成すべきかどうかを決定することと、
中継機器として前記第１のネットワーク機器を構成すべきであると決定したことに応答して、前記第１のネットワーク機器のクライアントステーションモジュールと前記第１のネットワーク機器のアクセスポイントモジュールとをアクティブ化することと
を備える、請求項１に記載の方法。
【請求項２８】
前記第１のネットワーク機器が前記中央アクセスポイントであるかどうかを決定するための動作を再実行すべきかどうかを決定するために、前記通信ネットワークを監視することを更に備える、請求項１に記載の方法。
【請求項２９】
プロセッサと、
前記プロセッサと結合された構成ユニットとを備える第１のネットワーク機器であって、前記構成ユニットは、
前記第１のネットワーク機器が前記第１のネットワーク機器の第１の通信インターフェースを介して通信ネットワークのゲートウェイに結合されるかどうか、及びワイドエリアネットワークが前記第１の通信インターフェースを介して前記第１のネットワーク機器にアクセス可能であるかどうかを決定することと、
前記第１のネットワーク機器が、前記第１の通信インターフェースを介して前記ゲートウェイに結合されること、および、前記ワイドエリアネットワークが、前記第１の通信インターフェースを介して前記第１のネットワーク機器にアクセス可能であること、に少なくとも部分的に基づいて、前記第１のネットワーク機器が前記通信ネットワークの中央アクセスポイントであることを決定することと、
前記第１のネットワーク機器が前記中央アクセスポイントであると決定したことに応答して、前記第１のネットワーク機器を構成するための動作パラメータを決定することと、
を行うように構成され、
前記ワイドエリアネットワークが、前記第１の通信インターフェースを介して前記第１のネットワーク機器にアクセス可能であるかどうかを決定することは、動的ホスト構成プロトコル（ＤＨＣＰ）サーバが前記第１の通信インターフェースからアクセス可能であるかどうかを決定することを備える、第１のネットワーク機器。
【請求項３０】
前記構成ユニットは、
前記第１のネットワーク機器が前記中央アクセスポイントではないと決定することと、
前記第１のネットワーク機器に関連する性能測定に、少なくとも部分的に、基づいて前記第１のネットワーク機器を構成する方法を決定することと、
を行うように更に構成される、請求項２９に記載の第１のネットワーク機器。
【請求項３１】
前記第１のネットワーク機器に関連する前記性能測定は、前記第１のネットワーク機器と前記中央アクセスポイントとの間のワイヤレス通信リンクの品質、前記第１のネットワーク機器と前記中央アクセスポイントとの間の電力線通信（ＰＬＣ）リンクの品質、及び前記第１のネットワーク機器におけるワイヤレスカバレージの品質から成るグループから選択される少なくとも１つの要素を含む、請求項３０に記載の第１のネットワーク機器。
【請求項３２】
前記構成ユニットは、前記第１のネットワーク機器と前記中央アクセスポイントとの間の通信ホップの数に基づいて前記第１のネットワーク機器を構成する方法を決定するように更に構成される、請求項３０に記載の第１のネットワーク機器。
【請求項３３】
前記構成ユニットは、
前記第１のネットワーク機器のアクセスポイントモジュールをアクティブ化することと、前記第１のネットワーク機器のクライアントステーションモジュールを使用不可にすることとによって、アクセスポイントとして前記第１のネットワーク機器を構成すべきか、
前記アクセスポイントモジュールを使用不可にすることと、前記クライアントステーションモジュールをアクティブ化することとによって、シンク機器として前記第１のネットワーク機器を構成すべきか、
前記アクセスポイントモジュールと前記クライアントステーションモジュールの両方をアクティブ化することによって、中継機器として前記第１のネットワーク機器を構成すべきか、又は
前記アクセスポイントモジュールと前記クライアントステーションモジュールの両方を使用不可にすることによって、前記第１のネットワーク機器のワイヤレス通信を使用不可にすべきかを決定するように更に構成される、請求項３０に記載の第１のネットワーク機器。
【請求項３４】
前記構成ユニットは、
アクセスポイントとして前記第１のネットワーク機器を構成すべきかどうかを決定することと、
アクセスポイントとして前記第１のネットワーク機器を構成すべきであると決定したことに応答して前記中央アクセスポイントと同じ通信チャネル上で動作するように前記第１のネットワーク機器のアクセスポイントモジュールを構成することと
を行うように更に構成される、請求項３０に記載の第１のネットワーク機器。
【請求項３５】
少なくとも前記プロセッサと結合された監視ユニットを更に備え、前記監視ユニットは、前記第１のネットワーク機器を構成する方法を決定するための動作を再実行すべきかどうかを決定するために、前記通信ネットワークを監視するように構成される、請求項３０に記載の第１のネットワーク機器。
【請求項３６】
機械実行可能命令を記憶した機械可読記憶媒体であって、前記機械実行可能命令は、
第１のネットワーク機器が前記第１のネットワーク機器の第１の通信インターフェースを介して通信ネットワークのゲートウェイに結合されるかどうか、及びワイドエリアネットワークが前記第１の通信インターフェースを介して前記第１のネットワーク機器にアクセス可能であるかどうかを決定することと、
前記第１のネットワーク機器が、前記第１の通信インターフェースを介して前記ゲートウェイに結合されること、および、前記ワイドエリアネットワークが、前記第１の通信インターフェースを介して前記第１のネットワーク機器にアクセス可能であること、に少なくとも部分的に基づいて、前記第１のネットワーク機器が前記通信ネットワークの中央アクセスポイントであることを決定することと、
前記第１のネットワーク機器が前記中央アクセスポイントであると決定したことに応答して、前記第１のネットワーク機器を構成するための動作パラメータを決定することと、
を行うための命令を備え、
前記ワイドエリアネットワークが、前記第１の通信インターフェースを介して前記第１のネットワーク機器にアクセス可能であるかどうかを決定することは、動的ホスト構成プロトコル（ＤＨＣＰ）サーバが前記第１の通信インターフェースからアクセス可能であるかどうかを決定することを備える、機械可読記憶媒体。
【請求項３７】
前記命令は、
前記第１のネットワーク機器が前記中央アクセスポイントではないと決定することと、
前記第１のネットワーク機器に関連する性能測定に、少なくとも部分的に、基づいて前記第１のネットワーク機器を構成する方法を決定することと
を行うための命令を更に備える、請求項３６に記載の機械可読記憶媒体。
【請求項３８】
前記第１のネットワーク機器を構成する方法を決定するための前記命令は、前記第１のネットワーク機器と前記中央アクセスポイントとの間の通信ホップの数を決定するための命令を更に備える、請求項３７に記載の機械可読記憶媒体。
【請求項３９】
前記第１のネットワーク機器を構成する方法を決定するための前記命令は、
前記第１のネットワーク機器のアクセスポイントモジュールをアクティブ化することと、前記第１のネットワーク機器のクライアントステーションモジュールを使用不可にすることとによって、アクセスポイントとして前記第１のネットワーク機器を構成すべきか、
前記アクセスポイントモジュールを使用不可にすることと、前記クライアントステーションモジュールをアクティブ化することとによって、シンク機器として前記第１のネットワーク機器を構成すべきか、
前記アクセスポイントモジュールと前記クライアントステーションモジュールの両方をアクティブ化することによって、中継機器として前記第１のネットワーク機器を構成すべきか、又は
前記アクセスポイントモジュールと前記クライアントステーションモジュールの両方を使用不可にすることによって、前記第１のネットワーク機器のワイヤレス通信を使用不可にすべきかを決定するための命令を更に備える、請求項３７に記載の機械可読記憶媒体。
【請求項４０】
前記第１のネットワーク機器を構成する方法を決定するための前記命令は、
アクセスポイントとして前記第１のネットワーク機器を構成すべきかどうかを決定することと、
アクセスポイントとして前記第１のネットワーク機器を構成すべきであると決定したことに応答して前記中央アクセスポイントと同じ通信チャネル上で動作するように前記第１のネットワーク機器のアクセスポイントモジュールを構成することと、
を行うための命令を更に備える、請求項３７に記載の機械可読記憶媒体。
【請求項４１】
前記命令は、
前記第１のネットワーク機器を構成する方法を決定するための動作を再実行すべきかどうかを決定するために、前記通信ネットワークを監視するための命令を更に備える、請求項３７に記載の機械可読記憶媒体。
【発明の詳細な説明】
【技術分野】
【０００１】
関連出願
[0001]本出願は、２０１３年８月１５日に出願された米国出願第１３／９６８，０５０号の優先権の利益を主張する。
【０００２】
[0002]本発明の主題の実施形態は、一般に、通信ネットワークの分野に関し、より詳細には、ネットワーク機器の自動構成に関する。
【背景技術】
【０００３】
[0003]ハイブリッド通信ネットワークは、通常、複数のネットワーキング技術（例えば、ワイヤレスローカルエリアネットワーク（ＷＬＡＮ）技術、電力線通信技術、イーサネット（登録商標）など）を実装する複数のネットワーク機器を備える。通常、通信機構及びプロトコル仕様（例えば、機器及びトポロジーの発見、他のネットワークへのブリッジングなど）は、各ネットワーキング技術に固有である。複数のネットワーキング技術は、通常、単一の拡張された通信ネットワークを形成するために、異なるネットワーク技術及び媒体の間でフレームを転送するブリッジング対応機器を使用して相互接続される。ハイブリッド通信ネットワークは、通常、任意の２つのハイブリッド機器間の複数のフレーム配信経路を提示する。
【発明の概要】
【０００４】
[0004]ネットワーク機器の自動構成のための様々な実施形態が開示される。幾つかの実施形態では、方法は、第１のネットワーク機器が通信ネットワークの中央アクセスポイントであるかどうかを決定することと、ここにおいて、中央アクセスポイントが第１の通信インターフェースを介して通信ネットワークのゲートウェイに結合され、少なくとも第２の通信インターフェースを介して第２のネットワーク機器に結合される、第１のネットワーク機器が中央アクセスポイントであると決定したことに応答して、中央アクセスポイントとして構成された第１のネットワーク機器についての動作パラメータを決定することと、第１のネットワーク機器が中央アクセスポイントではないと決定したことに応答して、第１のネットワーク機器における通信リンク性能測定に少なくとも部分的に基づいて、第１のネットワーク機器を構成する方法を決定することとを備える。
【０００５】
[0005]幾つかの実施形態では、第１の通信インターフェースは、第２の通信インターフェースと同じである。
【０００６】
[0006]幾つかの実施形態では、第１の通信インターフェースは、第２の通信インターフェースとは異なる。
【０００７】
[0007]幾つかの実施形態では、第１のネットワーク機器が中央アクセスポイントであるかどうかを前記決定することは、第１のネットワーク機器の所定のワイヤードインターフェースが１つの通信ホップによりゲートウェイに結合されると決定したことに応答して、第１のネットワーク機器が中央アクセスポイントであると決定することを備える。
【０００８】
[0008]幾つかの実施形態では、第１のネットワーク機器が中央アクセスポイントであるかどうかを前記決定することは、第１のネットワーク機器のイーサネットインターフェースが１つの通信ホップによりゲートウェイに結合されると決定したことに応答して、第１のネットワーク機器が中央アクセスポイントであると決定することを備える。
【０００９】
[0009]幾つかの実施形態では、第１のネットワーク機器が中央アクセスポイントであるかどうかを前記決定することは、第１のネットワーク機器のイーサネットインターフェースが２つ以上の通信ホップによりゲートウェイに結合されると決定したことに応答して、第１のネットワーク機器が中央アクセスポイントではないと決定することを備える。
【００１０】
[0010]幾つかの実施形態では、第１のネットワーク機器が中央アクセスポイントであるかどうかを前記決定することは、第１のネットワーク機器のイーサネットインターフェースがイーサネット通信媒体を介して通信ネットワークのゲートウェイに結合されるかどうかを決定することを備える。
【００１１】
[0011]幾つかの実施形態では、第１のネットワーク機器が中央アクセスポイントであるかどうかを前記決定することは、第１のネットワーク機器が第１の通信インターフェースを介してゲートウェイに結合されると決定したことに応答して、ワイドエリアネットワークが第１のネットワーク機器の第１の通信インターフェースからアクセス可能であるかどうかを決定することと、ワイドエリアネットワークが第１のネットワーク機器の第１の通信インターフェースからアクセス可能であると決定したことに応答して、第１のネットワーク機器が中央アクセスポイントであると決定することとを備える。
【００１２】
[0012]幾つかの実施形態では、第１のネットワーク機器が中央アクセスポイントであるかどうかを前記決定することは、第１のネットワーク機器が第１の通信インターフェースを介してゲートウェイに結合されると決定したことに応答して、動的ホスト構成プロトコル（ＤＨＣＰ：dynamic host configuration protocol）サーバが第１のネットワーク機器の第１の通信インターフェースからアクセス可能であるかどうかを決定することと、ＤＨＣＰサーバが第１のネットワーク機器の第１の通信インターフェースからアクセス可能であると決定したことに応答して、第１のネットワーク機器が中央アクセスポイントであると決定することとを備える。
【００１３】
[0013]幾つかの実施形態では、第１のネットワーク機器は、第１のネットワーク機器を対応する複数の通信媒体に結合する複数のネットワークインターフェースを備える。
【００１４】
[0014]幾つかの実施形態では、第１のネットワーク機器が中央アクセスポイントであるかどうかを前記決定することは、第１のネットワーク機器が第１の通信インターフェースを介して１つの通信ホップによりゲートウェイに結合されると決定したことに応答して、第１のネットワーク機器が中央アクセスポイントであると決定することを備える。
【００１５】
[0015]幾つかの実施形態では、動作パラメータは、動作通信帯域、動作通信チャネル、第１のネットワーク機器のネットワークインターフェースを使用可能にすべきか、又は使用不可にすべきか、及び送信電力のうちの少なくとも１つを備える。
【００１６】
[0016]幾つかの実施形態では、第１のネットワーク機器が中央アクセスポイントであると決定したことと、通信ネットワークがレガシーアクセスポイントを備えていると決定したこととに応答して、中央アクセスポイントとして構成された第１のネットワーク機器についての動作パラメータを前記決定することは、中央アクセスポイントの動作パラメータを、レガシーアクセスポイントの対応する動作パラメータに従って構成することを備える。
【００１７】
[0017]幾つかの実施形態では、第１のネットワーク機器は、第１のネットワーク機器が通信ネットワークの中央アクセスポイントであるかどうかを決定するように構成され、レガシーアクセスポイントは、レガシーアクセスポイントが通信ネットワークの中央アクセスポイントであるかどうかを決定するように構成されない。
【００１８】
[0018]幾つかの実施形態では、第１のネットワーク機器が中央アクセスポイントであると決定したことに応答して、中央アクセスポイントとして構成された第１のネットワーク機器についての動作パラメータを前記決定することは、第１のネットワーク機器が動作するように構成される動作通信帯域を識別することと、動作通信帯域内の好ましい動作通信チャネルを選択することと、動作通信帯域内の好ましい動作通信チャネル上で通信を送信するように第１のネットワーク機器を構成することとを備える。
【００１９】
[0019]幾つかの実施形態では、本方法は、好ましい動作通信チャネル上で中央アクセスポイントから通信を送信するための送信電力レベルを選択することを更に備える。
【００２０】
[0020]幾つかの実施形態では、第１のネットワーク機器が中央アクセスポイントではないと決定したことに応答して、本方法は、通信ネットワークの中央アクセスポイントを識別する指示を第１のネットワーク機器が受信したかどうかを決定することと、中央アクセスポイントの指示を第１のネットワーク機器が受信していないと決定したことに応答して、中央アクセスポイントを識別して中央アクセスポイントの通信資格情報を決定するためのメッセージを通信ネットワークにおいてブロードキャストすることとを更に備える。
【００２１】
[0021]幾つかの実施形態では、中央アクセスポイントの指示を第１のネットワーク機器が受信したと決定したことに応答して、本方法は、中央アクセスポイントに関連する通信資格情報に少なくとも部分的に基づいて、第１のネットワーク機器と中央アクセスポイントとの間の通信リンクを確立することと、第１のネットワーク機器と中央アクセスポイントとの間の通信リンクを確立した後に第１のネットワーク機器を構成する方法を決定することとを備える。
【００２２】
[0022]幾つかの実施形態では、第１のネットワーク機器が中央アクセスポイントではないと決定したことに応答して、第１のネットワーク機器を構成する方法を前記決定することは、第１のネットワーク機器と中央アクセスポイントとの間のワイヤレス通信リンクの品質、第１のネットワーク機器と中央アクセスポイントとの間の電力線通信（ＰＬＣ）リンクの品質、及び第１のネットワーク機器におけるワイヤレスカバレージの品質に少なくとも部分的に基づく。
【００２３】
[0023]幾つかの実施形態では、第１のネットワーク機器と中央アクセスポイントとの間のワイヤレス通信リンクの品質は、第１のネットワーク機器のワイヤレスネットワークインターフェースにおいて中央アクセスポイントから受信されたワイヤレス信号の信号強度であり、第１のネットワーク機器と中央アクセスポイントとの間の電力線通信リンクの品質は、第１のネットワーク機器の電力線ネットワークインターフェースにおいて中央アクセスポイントから受信された電力線信号の信号強度である。
【００２４】
[0024]幾つかの実施形態では、第１のネットワーク機器におけるワイヤレスカバレージの品質は、通信ネットワークの複数のアクセスポイントの対応する各々からの第１のネットワーク機器のワイヤレスネットワークインターフェースにおいて測定された複数の信号強度値のうちの最大値であり、ここにおいて、複数のアクセスポイントが中央アクセスポイントを備えている。
【００２５】
[0025]幾つかの実施形態では、第１のネットワーク機器が中央アクセスポイントではないと決定したことに応答して、第１のネットワーク機器を構成する方法を前記決定することは、第１のネットワーク機器のアクセスポイントモジュールを使用可能にすべきか、又は使用不可にすべきかを決定すること、及び第１のネットワーク機器のクライアントステーションモジュールを使用可能にすべきか、又は使用不可にすべきかを決定すること、のうちの少なくとも１つを備える。
【００２６】
[0026]幾つかの実施形態では、第１のネットワーク機器が中央アクセスポイントではないと決定したことに応答して、第１のネットワーク機器を構成する方法を前記決定することは、第１のネットワーク機器を構成する方法を決定するために、第１のネットワーク機器と中央アクセスポイントとの間のワイヤレス通信リンクの品質と、第１のネットワーク機器と中央アクセスポイントとの間のＰＬＣリンクの品質と、第１のネットワーク機器と中央アクセスポイントとの間の通信ホップの数と、第１のネットワーク機器におけるワイヤレスカバレージの品質とを分析することを備える。
【００２７】
[0027]幾つかの実施形態では、第１のネットワーク機器を構成する方法を前記決定することは、第１のネットワーク機器のアクセスポイントモジュールをアクティブ化することと、第１のネットワーク機器のクライアントステーションモジュールを使用不可にすることとによって、アクセスポイントとして第１のネットワーク機器を構成すべきか、第１のネットワーク機器が通信ネットワークにおけるアクセスポイントと結び付くことができるように、第１のネットワーク機器のアクセスポイントモジュールを使用不可にすることと、第１のネットワーク機器のクライアントステーションモジュールをアクティブ化することとによって、シンク機器として第１のネットワーク機器を構成すべきか、第１のネットワーク機器のアクセスポイントモジュールとクライアントステーションモジュールの両方をアクティブ化することによって、中継機器として第１のネットワーク機器を構成すべきか、又は、第１のネットワーク機器のアクセスポイントモジュールとクライアントステーションモジュールの両方を使用不可にすることによって、第１のネットワーク機器のワイヤレス機能を使用不可にすべきかを決定することを備える。
【００２８】
[0028]幾つかの実施形態では、アクセスポイントとして第１のネットワーク機器を構成すべきであると決定したことに応答して、本方法は、中央アクセスポイント及び第１のネットワーク機器のアクセスポイントモジュールが共通の通信チャネル上で動作するように構成されると決定することと、中央アクセスポイント及び第１のネットワーク機器のアクセスポイントモジュールが共通の通信チャネル上で動作するように構成されると前記決定したことに応答して、中継機器として第１のネットワーク機器を構成すべきかどうかを決定することと、中継機器として第１のネットワーク機器を構成すべきであると決定したことに応答して、第１のネットワーク機器のクライアントステーションモジュールと第１のネットワーク機器のアクセスポイントモジュールとをアクティブ化することによって、中継機器として第１のネットワーク機器を構成することとを更に備える。
【００２９】
[0029]幾つかの実施形態では、第１のネットワーク機器が中央アクセスポイントではないと決定したことに応答して、本方法は、中央アクセスポイントの動作パラメータ及び第１のネットワーク機器の構成に少なくとも部分的に基づいて、第１のネットワーク機器についての動作パラメータを決定することを更に備える。
【００３０】
[0030]幾つかの実施形態では、本方法は、第１のネットワーク機器が中央アクセスポイントであるかどうかを前記決定したことに少なくとも部分的に基づいて、第１のネットワーク機器のネットワークインターフェースのブリッジング機能を使用可能にすべきかどうかを決定することを更に備える。
【００３１】
[0031]幾つかの実施形態では、本方法は、第１のネットワーク機器が中央アクセスポイントであるかどうかを前記決定する前に、第１のネットワーク機器のネットワークインターフェースのブリッジング挙動を不可にすることを更に備える。
【００３２】
[0032]幾つかの実施形態では、本方法は、第１のネットワーク機器が通信ネットワークの中央アクセスポイントであるかどうかを決定するための動作を再実行すべきかどうかを決定するために、通信ネットワークを監視することを更に備える。
【００３３】
[0033]幾つかの実施形態では、通信ネットワークを前記監視することは、通信ネットワークの第１のネットワーク機器を構成する方法を決定するための動作を再実行すべきかどうかを決定するために、第１のネットワーク機器に関連する性能測定を監視することを備える。
【００３４】
[0034]幾つかの実施形態では、第１のネットワーク機器は、プロセッサと、プロセッサと結合された構成ユニットとを備え、構成ユニットは、第１のネットワーク機器が通信ネットワークの中央アクセスポイントであるかどうかを決定することと、ここにおいて、中央アクセスポイントが第１の通信インターフェースを介して通信ネットワークのゲートウェイに結合され、少なくとも第２の通信インターフェースを介して第２のネットワーク機器に結合される、第１のネットワーク機器が中央アクセスポイントであると決定したことに応答して、中央アクセスポイントとして構成された第１のネットワーク機器についての動作パラメータを決定することと、第１のネットワーク機器が中央アクセスポイントではないと決定したことに応答して、第１のネットワーク機器における通信リンク性能測定に少なくとも部分的に基づいて、第１のネットワーク機器を構成する方法を決定することとを行うように構成される。
【００３５】
[0035]幾つかの実施形態では、構成ユニットは、第１のネットワーク機器が第１の通信インターフェースを介してゲートウェイに結合されると決定したことに応答して、ワイドエリアネットワークが第１のネットワーク機器の第１の通信インターフェースからアクセス可能であるかどうかを決定することと、ワイドエリアネットワークが第１のネットワーク機器の第１の通信インターフェースからアクセス可能であると決定したことに応答して、第１のネットワーク機器が中央アクセスポイントであると決定することとを行うように構成される。
【００３６】
[0036]幾つかの実施形態では、第１のネットワーク機器が中央アクセスポイントではないと決定したことに応答して、第１のネットワーク機器を構成する方法を決定するように構成された構成ユニットは、第１のネットワーク機器と中央アクセスポイントとの間のワイヤレス通信リンクの品質、第１のネットワーク機器と中央アクセスポイントとの間の電力線通信（ＰＬＣ）リンクの品質、及び第１のネットワーク機器におけるワイヤレスカバレージの品質に少なくとも部分的に基づく。
【００３７】
[0037]幾つかの実施形態では、第１のネットワーク機器が中央アクセスポイントではないと決定したことに応答して、第１のネットワーク機器を構成する方法を決定するように構成された構成ユニットは、第１のネットワーク機器を構成する方法を決定するために、第１のネットワーク機器と中央アクセスポイントとの間のワイヤレス通信リンクの品質と、第１のネットワーク機器と中央アクセスポイントとの間のＰＬＣリンクの品質と、第１のネットワーク機器と中央アクセスポイントとの間の通信ホップの数と、第１のネットワーク機器におけるワイヤレスカバレージの品質とを分析するように構成された構成ユニットを備える。
【００３８】
[0038]幾つかの実施形態では、構成ユニットは、第１のネットワーク機器のアクセスポイントモジュールをアクティブ化することと、第１のネットワーク機器のクライアントステーションモジュールを使用不可にすることとによって、アクセスポイントとして第１のネットワーク機器を構成すべきか、第１のネットワーク機器が通信ネットワークにおけるアクセスポイントと結び付くことができるように、第１のネットワーク機器のアクセスポイントモジュールを使用不可にすることと、第１のネットワーク機器のクライアントステーションモジュールをアクティブ化することとによって、シンク機器として第１のネットワーク機器を構成すべきか、第１のネットワーク機器のアクセスポイントモジュールとクライアントステーションモジュールの両方をアクティブ化することによって、中継機器として第１のネットワーク機器を構成すべきか、又は、第１のネットワーク機器のアクセスポイントモジュールとクライアントステーションモジュールの両方を使用不可にすることによって、第１のネットワーク機器のワイヤレス機能を使用不可にすべきかを決定するように構成される。
【００３９】
[0039]幾つかの実施形態では、アクセスポイントとして第１のネットワーク機器を構成すべきであると決定したことに応答して、構成ユニットは、中央アクセスポイント及び第１のネットワーク機器のアクセスポイントモジュールが共通の通信チャネル上で動作するように構成されると決定することと、中央アクセスポイント及び第１のネットワーク機器のアクセスポイントモジュールが共通の通信チャネル上で動作するように構成されると決定したことに応答して、中継機器として第１のネットワーク機器を構成すべきかどうかを決定することと、中継機器として第１のネットワーク機器を構成すべきであると決定したことに応答して、第１のネットワーク機器のクライアントステーションモジュールと第１のネットワーク機器のアクセスポイントモジュールとをアクティブ化することによって、中継機器として第１のネットワーク機器を構成することとを行うように更に構成される。
【００４０】
[0040]幾つかの実施形態では、第１のネットワーク機器は、少なくともプロセッサと結合された監視ユニットを更に備え、監視ユニットは、通信ネットワークの第１のネットワーク機器を構成する方法を決定するための動作を再実行すべきかどうかを決定するために、通信ネットワークを監視するように構成される。
【００４１】
[0041]幾つかの実施形態では、機械可読記憶媒体は、機械実行可能命令を記憶しており、機械実行可能命令は、第１のネットワーク機器が通信ネットワークの中央アクセスポイントであるかどうかを決定することと、ここにおいて、中央アクセスポイントが第１の通信インターフェースを介して通信ネットワークのゲートウェイに結合され、少なくとも第２の通信インターフェースを介して第２のネットワーク機器に結合される、第１のネットワーク機器が中央アクセスポイントであると決定したことに応答して、中央アクセスポイントとして構成された第１のネットワーク機器についての動作パラメータを決定することと、第１のネットワーク機器が中央アクセスポイントではないと決定したことに応答して、第１のネットワーク機器における通信リンク性能測定に少なくとも部分的に基づいて、第１のネットワーク機器を構成する方法を決定することとを行うための命令を備える。
【００４２】
[0042]幾つかの実施形態では、第１のネットワーク機器が中央アクセスポイントではないと決定したことに応答して、第１のネットワーク機器を構成する方法を決定するための前記命令は、第１のネットワーク機器と中央アクセスポイントとの間のワイヤレス通信リンクの品質、第１のネットワーク機器と中央アクセスポイントとの間の電力線通信（ＰＬＣ）リンクの品質、及び第１のネットワーク機器におけるワイヤレスカバレージの品質に少なくとも部分的に基づく。
【００４３】
[0043]幾つかの実施形態では、第１のネットワーク機器が中央アクセスポイントではないと決定したことに応答して、第１のネットワーク機器を構成する方法を決定するための前記命令は、第１のネットワーク機器を構成する方法を決定するために、第１のネットワーク機器と中央アクセスポイントとの間のワイヤレス通信リンクの品質と、第１のネットワーク機器と中央アクセスポイントとの間のＰＬＣリンクの品質と、第１のネットワーク機器と中央アクセスポイントとの間の通信ホップの数と、第１のネットワーク機器におけるワイヤレスカバレージの品質とを分析するための命令を備える。
【００４４】
[0044]幾つかの実施形態では、第１のネットワーク機器を構成する方法を決定するための前記命令は、第１のネットワーク機器のアクセスポイントモジュールをアクティブ化することと、第１のネットワーク機器のクライアントステーションモジュールを使用不可にすることとによって、アクセスポイントとして第１のネットワーク機器を構成すべきか、第１のネットワーク機器が通信ネットワークにおけるアクセスポイントと結び付くことができるように、第１のネットワーク機器のアクセスポイントモジュールを使用不可にすることと、第１のネットワーク機器のクライアントステーションモジュールをアクティブ化することとによって、シンク機器として第１のネットワーク機器を構成すべきか、第１のネットワーク機器のアクセスポイントモジュールとクライアントステーションモジュールの両方をアクティブ化することによって、中継機器として第１のネットワーク機器を構成すべきか、又は、第１のネットワーク機器のアクセスポイントモジュールとクライアントステーションモジュールの両方を使用不可にすることによって、第１のネットワーク機器のワイヤレス機能を使用不可にすべきかを決定するための命令を備える。
【００４５】
[0045]幾つかの実施形態では、アクセスポイントとして第１のネットワーク機器を構成すべきであると決定したことに応答して、前記命令は、中央アクセスポイント及び第１のネットワーク機器のアクセスポイントモジュールが共通の通信チャネル上で動作するように構成されると決定することと、中央アクセスポイント及び第１のネットワーク機器のアクセスポイントモジュールが共通の通信チャネル上で動作するように構成されると決定したことに応答して、中継機器として第１のネットワーク機器を構成すべきかどうかを決定することと、中継機器として第１のネットワーク機器を構成すべきであると決定したことに応答して、第１のネットワーク機器のクライアントステーションモジュールと第１のネットワーク機器のアクセスポイントモジュールとをアクティブ化することによって、中継機器として第１のネットワーク機器を構成することとを行うための命令を更に備える。
【００４６】
[0046]幾つかの実施形態では、前記命令は、第１のネットワーク機器を構成する方法を決定するための動作を再実行すべきかどうかを決定するために、通信ネットワークを監視するための命令を更に備える。
【００４７】
[0047]添付の図面を参照することによって、本実施形態がよりよく理解され得、多数の目的、特徴、及び利点が、当業者に明らかにされ得る。
【図面の簡単な説明】
【００４８】
【図１】[0048]ハイブリッド機器の自動構成のための機構を含む例示的なハイブリッド通信ネットワークの概念図。
【図２】[0049]ハイブリッド通信ネットワークにおけるハイブリッド機器の自動構成のための例示的な動作を示す流れ図。
【図３】[0050]ハイブリッド機器の特徴を決定するための流れ図。
【図４】[0051]中央アクセスポイント（ＣＡＰ）の帯域と、チャネルと、電力とを選択するための例示的な動作を示す流れ図。
【図５】[0052]非中央アクセスポイント機器（非ＣＡＰ機器）の特徴と、帯域と、チャネルと、電力とを選択するための例示的な動作を示す流れ図。
【図６】[0053]電子機器の自動構成のための機構を含む電子機器の一実施形態のブロック図。
【発明を実施するための形態】
【００４９】
[0054]以下の説明は、本発明の主題の技法を具現する例示的なシステムと、方法と、技法と、命令シーケンスと、コンピュータプログラム製品とを含む。しかしながら、説明する実施形態は、これらの具体的な詳細なしに実施され得ることを理解されたい。例えば、例は、ハイブリッド機器のワイヤレスローカルエリアネットワーク（ＷＬＡＮ）インターフェース（例えば、ＩＥＥＥ８０２．１１互換インターフェース）の構成に言及するが、実施形態はそのように限定されない。他の実施形態では、本明細書で説明する構成技法は、他の適切な通信プロトコルと通信規格と（例えば、ＨｏｍｅＰｌｕｇ（登録商標）ＡＶインターフェースなどのような電力線通信（ＰＬＣ）インターフェース）を実装するネットワークインターフェースに拡張され得る。例は、複数のネットワークインターフェースを有するハイブリッド機器を構成するための動作に言及するが、実施形態はそのように限定されない。他の実施形態では、本明細書で説明する構成動作は、レガシーＷＬＡＮ機器及び／又はレガシーＰＬＣ機器などのレガシー機器（例えば、単一のネットワークインターフェースを有するネットワーク機器）にも適用され得る。例は、ホームネットワークにおいてハイブリッド機器を自動的に構成することに言及するが、他の実施形態では、ハイブリッド機器を自動的に構成するための動作は、オフィス、学校、鉄道駅のネットワークなどのような、他のネットワーク環境において実行され得る。他の事例では、よく知られている命令インスタンス、プロトコル、構造及び技法は、説明をわかりにくくしないために詳細には示されていない。
【００５０】
[0055]複数のハイブリッド機器を備える通信ネットワーク（例えば、ホームネットワーク）では、各ハイブリッド機器は、ハイブリッド機器を対応する複数の通信ネットワークセグメント又はアクセス技術（例えば、イーサネット、ＷＬＡＮ、Ｍｕｌｔｉｍｅｄｉａ  ｏｖｅｒ  Ｃｏａｘ  Ａｌｌｉａｎｃｅ（ＭｏＣＡ（登録商標））、Ｅｔｈｅｒｎｅｔ（登録商標）  ｏｖｅｒ  Ｃｏａｘ（ＥｏＣ）、ＰＬＣなど）に結合する、複数のネットワークインターフェース（例えば、物理（ＰＨＹ）レイヤと媒体アクセス制御（ＭＡＣ）レイヤの組合せ）をサポートする場合がある。更に、ＷＬＡＮ対応ハイブリッド機器（例えば、ＷＬＡＮ通信をサポートするハイブリッド機器）は、異なるハードウェア能力（例えば、２．４ＧＨｚ及び／又は５ＧＨｚのＷＬＡＮサポート、デュアルバンド単一無線、デュアルバンドデュアル同時無線など）を有し得る。更に、ハードウェア能力及びホームネットワークにおける他のネットワーク機器との相互接続に応じて、ホームネットワークにおいて各ＷＬＡＮ対応ハイブリッド機器を別様に構成することが可能であり得る。ユーザにとっては、以下が困難で厄介であり得る。１）ホームネットワークにおける各ハイブリッド機器の各ネットワークインターフェースがどのように構成されるべきかを決定すること、ならびに２）ハイブリッド機器及びホームネットワークの最適な性能のために、ホームネットワークにおける各ハイブリッド機器の各ネットワークインターフェースを手動で構成すること。
【００５１】
[0056]幾つかの実施形態では、ハイブリッド機器（例えば、「ＴＣＡ対応ハイブリッド機器」）は、本明細書で説明する全体構成アルゴリズム（ＴＣＡ）を実行するように構成され得、その結果、ハイブリッド機器は、ユーザの介入が最低限又はゼロの状況で他のネットワーク機器と通信ネットワーク（例えば、ＩＥＥＥ  Ｓｔｄ１９０５．１ハイブリッド通信ネットワーク）を形成するように、それ自体を自動的に構成する。ハイブリッド機器の構成ユニットは、その初期化及びその動作の間にハイブリッド機器の挙動を決定及び制御することができる。例えば、以下で更に説明するように、構成ユニットは、ハイブリッド機器の特徴（例えば、ハイブリッド機器のＷＬＡＮアクセスポイント（ＡＰ）モジュール及び／又はＷＬＡＮ局（ＳＴＡ）モジュールの構成）と、ハイブリッド機器のＷＬＡＮ  ＡＰモジュール及び／又はＷＬＡＮ  ＳＴＡモジュールが動作すべきＷＬＡＮ通信帯域及びチャネルと、ハイブリッド機器のＷＬＡＮ  ＡＰモジュール及び／又はＷＬＡＮ  ＳＴＡモジュールのセキュリティ証明と、ハイブリッド機器のＷＬＡＮ  ＡＰモジュールの送信電力レベルと、ハイブリッド機器の様々なインターフェース間のブリッジの構成（例えば、フラッディング挙動）とを決定することができる。幾つかの実施形態では、ハイブリッド機器の特徴は、以下で更に説明するように、ハイブリッド機器のＷＬＡＮ  ＡＰモジュール及び／又はＷＬＡＮ  ＳＴＡモジュールをＯＮ／ＯＦＦにすべきかを指し得る。ハイブリッド機器の自動構成は、ハイブリッド機器への良好／確実な接続を可能にし、ＷＬＡＮ通信帯域（例えば、２．４ＧＨｚ及び／又は５ＧＨｚのＷＬＡＮ通信帯域）上での干渉を最小化し、（可能な場合）様々な通信チャネルを使用するようにハイブリッド通信ネットワーク内のアクセスポイントを構成し、ハイブリッド通信ネットワーク（例えば、ホームネットワーク）内のＷＬＡＮのカバレージ（及び接続性）を最大化し、ハイブリッド通信ネットワークの容量を最大化する（例えば、ＷＬＡＮのカバレージがホームネットワーク内のどこにも提供され得る）ことができる。ハイブリッド機器の自動構成により、ユーザがランダムな順序で予測不可能な位置でハイブリッド機器にプラグイン（又は接続）することが可能になり得る。ハイブリッド機器は、ユーザの介入なしで互いを発見し、それらの特徴を構成するために、それら自体の間で自己組織化することができる。更に、ハイブリッド通信ネットワークはまた、ハイブリッド機器が特徴（personality）、チャネル及び電力の選択などに関する決定の間で反復的又はランダムに切り替えることのないように監視され得る。
【００５２】
[0057]図１は、ハイブリッド機器１０２の自動構成のための機構を含む例示的なハイブリッド通信ネットワーク１００の概念図である。ハイブリッド通信ネットワーク１００は、ハイブリッド機器１０２、１１８、及び１２０と、レガシーＷＬＡＮ機器１２２と、ネットワークゲートウェイ１２４とを備える。ハイブリッド機器１０２は、通信ユニット１０４を備える。通信ユニット１０４は、構成ユニット１０６と監視ユニット１０８とを備える。ハイブリッド機器１０２、１１８、及び１２０は、ハイブリッド機器を複数の通信ネットワークに結合するために（アクセス技術と呼ばれる場合もある）複数の通信プロトコルを利用する複数のネットワークインターフェースを備える。例えば、図１に示されているように、ハイブリッド機器１０２は、４つのネットワークインターフェース、即ち、イーサネットインターフェース１１０と、ＰＬＣインターフェース１１２と、ＷＬＡＮクライアントステーション（「ＷＬＡＮ  ＳＴＡ」）インターフェース１１４と、ＷＬＡＮアクセスポイント（「ＷＬＡＮ  ＡＰ」）インターフェース１１６とを備える。ハイブリッド機器１０２、１１８、及び１２０は、任意の適切な数及びタイプのネットワークインターフェースを備えることができる。レガシーＷＬＡＮ機器１２２は、レガシーＷＬＡＮ機器１２２をＷＬＡＮセグメントに結合する単一のＷＬＡＮインターフェースを備える。しかしながら、ハイブリッド通信ネットワーク１００は、レガシーネットワーク機器を対応する単一の通信ネットワークセグメント（又はアクセス技術）に結合する単一のタイプのネットワークインターフェースを備える他の適切なタイプのレガシーネットワーク機器を備えることができる。図１の具体例では、ハイブリッド機器１０２のイーサネットインターフェース１１０は、ハイブリッド機器１１８のイーサネットインターフェース（図示せず）及びネットワークゲートウェイ１２４と結合される。ネットワークゲートウェイ１２４は、ハイブリッド通信ネットワーク１００（例えば、ホームネットワーク）を外部通信メットワーク（例えば、インターネット）に結合する。図１の具体例では、ハイブリッド機器１０２のＰＬＣインターフェース１１２は、ハイブリッド機器１１８のＰＬＣインターフェース（図示せず）及びハイブリッド機器１２０のＰＬＣインターフェース（図示せず）と結合される。ハイブリッド機器１０２のＷＬＡＮ  ＳＴＡインターフェース１１４が、ハイブリッド機器１２０のＷＬＡＮ  ＡＰインターフェース（図示せず）と結合される一方、ハイブリッド機器のＷＬＡＮ  ＡＰインターフェース１１６は、（例えば、ＳＴＡとして構成された）レガシーＷＬＡＮ機器１２２と結合される。幾つかの実施形態では、ハイブリッド機器１０２、１１８、及び１２０がそれぞれ、ＩＥＥＥ  Ｓｔｄ１９０５．１通信プロトコルを実装するネットワーク機器であり得る一方、レガシーＷＬＡＮ機器１２２は、ＩＥＥＥ  Ｓｔｄ１９０５．１通信プロトコルをサポートしないネットワーク機器であり得る。この実施形態では、ハイブリッド機器１０２、１１８、及び１２０、ならびに／又はレガシーＷＬＡＮ機器１２２は、任意の適切な数のネットワークインターフェースを備え得る���幾つかの実施形態では、ハイブリッド機器１０２、１１８、及び１２０はそれぞれ、通信ネットワークにおいてそれ自体を自動的に構成するための本明細書で説明する全体構成アルゴリズム（ＴＣＡ）を実施するネットワーク機器であり得る。レガシーＷＬＡＮ機器１２２は、本明細書で説明するＴＣＡを実施しないネットワーク機器であり得る。
【００５３】
[0058]ハイブリッド機器１０２、１１８、及び１２０はそれぞれ、ラップトップコンピュータ、タブレットコンピュータ、モバイルフォン、スマートアプライアンス、ゲームコンソール、アクセスポイント、デスクトップコンピュータ、又は他の適切な電子機器などの、複数の通信プロトコル又はアクセス技術を実装するように構成された電子機器であり得る。図１には示されていないが、ハイブリッド機器１１８及び１２０はそれぞれ、ハイブリッド機器１０２を参照して示されたように、通信ユニットと、構成ユニットと、監視ユニットとを備えることができる。同様に、レガシーＷＬＡＮ機器１２２は、ラップトップコンピュータ、タブレットコンピュータ、モバイルフォン、スマートアプライアンス、ゲームコンソール、アクセスポイント、デスクトップコンピュータ、又は他の適切な電子機器などの、単一の通信プロトコル又はアクセス技術を実装するように構成された電子機器であり得る。幾つかの実施形態では、ハイブリッド機器１０２、１１８、及び１２０、及びレガシーＷＬＡＮ機器１２２の通信ユニットはそれぞれ、それらのそれぞれのネットワーク機器上のネットワーク通信を可能にするために、システムオンチップ（ＳｏＣ）、特定用途向け集積回路（ＡＳＩＣ）、又は別の適切な集積回路（ＩＣ）に実装され得る。幾つかの実施形態では、通信ユニットは、それぞれ、１つ又は複数のプロセッサとメモリとを備える場合があり、それぞれ、それらのそれぞれのネットワーク機器の１つ又は複数の回路板上の１つ又は複数の集積回路内に実装される場合がある。以下で更に説明するように、構成ユニット１０６が、ハイブリッド機器１０２を自動的に構成するための動作を実行することができる一方、監視ユニット１０８は、ハイブリッド通信ネットワーク１００の状態を監視するための動作を実行し、ハイブリッド機器１０２を構成するための動作を再実行すべきかどうかを決定することができる。
【００５４】
[0059]幾つかの実施形態では、ハイブリッド機器１０２の自動構成を可能にするために、構成ユニット１０６は、各ネットワークインターフェース１１０、１１２、１１４、及び１１６の認証ステータスを入力として受信することができる。認証ステータスは、例えば、ハイブリッド機器１０２（例えば、ＰＬＣモジュール）が、（例えば、プッシュボタン構成動作が実行された後に）電力線ネットワークにうまく参加したかどうかを示すことができる。構成ユニット１０６はまた、（例えば、自動チャネル選択（ＡＣＳ）動作、強化型ＡＣＳ（ＥＡＣＳ：enhanced ACS）動作、又は別の適切なチャネルスキャン動作を実行することに基づく）チャネルスキャン結果と、ハイブリッド通信ネットワーク１００における１つ又は複数のアクセスポイント（ＡＰ）からのリンクメトリック情報（例えば、ＷＬＡＮ受信信号強度インジケータ（ＲＳＳＩ）測定値）と、少なくともローカルＰＬＣインターフェース１１２から（「ＣＡＰ」、「ルートアクセスポイント」、「ルートＡＰ」又は「上流機器」とも呼ばれる）中央アクセスポイントへのリンク品質測定値とを受信することができる。更に、構成ユニット１０６はまた、インターネットサービスプロバイダ（ＩＳＰ）ゲートウェイへの各ネットワークインターフェース１１０、１１２、１１４、及び１１６について実行された接続性テスト（例えば、ＷＬＡＮ、ＰＬＣ及びイーサネットで実行されたｐｉｎｇ又は動的ホスト構成プロトコル（ＤＨＣＰ））の結果を受信することができる。幾つかの実施形態では、構成ユニット１０６はまた、ハイブリッド機器１０２の各ネットワークインターフェース１１０、１１２、１１４、及び１１６とＣＡＰとの間のデータレートテストの結果を受信することができる。
【００５５】
[0060]段階Ａにおいて、構成ユニット１０６は、ハイブリッド機器１０２がハイブリッド通信ネットワーク１００の中央アクセスポイント（ＣＡＰ）であるかどうかを決定する。ＣＡＰは、ハイブリッド通信ネットワーク１００のネットワークゲートウェイ１２４に（「通信リンク」とも呼ばれる）シングルホップを介して、単一の通信媒体により、又は単一の通信インターフェースを介して結合されるアクセスポイントであり得る。ＣＡＰは、ネットワークゲートウェイ１２４に直接結合され得るか、又は１つ以上のスイッチを介してネットワークゲートウェイ１２４に結合され得る。一般に、ＣＡＰは、単一のイーサネット通信リンクを介してネットワークゲートウェイ１２４に結合されるアクセスポイントであり得る。他の実施形態では、ＣＡＰは、別の適切なワイヤード通信リンク（例えば、ＰＬＣ通信リンク、ＭｏＣＡ通信リンクなど）を介してネットワークゲートウェイ１２４に結合され得る。他の実施形態では、ＣＡＰは、別の適切なワイヤレス通信リンク（例えば、ＷｉＭＡＸ（登録商標）通信リンク）を介してネットワークゲートウェイ１２４に結合され得る。幾つかの実施形態では、ネットワークゲートウェイ１２４は、ハイブリッド通信ネットワーク１００（例えば、ホームネットワーク）を（例えば、ホームネットワークにインターネットアクセスを提供する）外部ネットワークに接続するネットワーク機器であり得る。一般に、ＣＡＰのブリッジング能力は、適切なループ回避機構（例えば、ハイブリッドスパニングツリープロトコル（ｈＳＴＰ）、ＣＡＰ重複検出動作など）に基づいて決定され得る。例えば、ハイブリッド通信ネットワーク１００がホームネットワークである場合、ＣＡＰは、ネットワークゲートウェイ１２４に直接接続するホームワイヤレスルータであり得る。ＣＡＰは、ＷＬＡＮトポロジーを構築するためのアンカーポイントとして働くことができる。
【００５６】
[0061]段階Ｂにおいて、ハイブリッド機器１０２がＣＡＰである場合、構成ユニット１０６は、ＣＡＰの動作パラメータを決定する。以下で図３〜図４において更に説明するように、構成ユニット１０６は、ＣＡＰが動作すべき動作通信帯域（例えば、２．４ＧＨｚのＷＬＡＮ通信帯域、５ＧＨｚのＷＬＡＮ通信帯域など）と、ＣＡＰが動作すべき動作通信帯域の動作通信チャネルと、ＣＡＰがハイブリッド通信ネットワーク１００においてメッセージを送信すべき場合の送信電力とを含む動作パラメータを決定することができる。
【００５７】
[0062]段階Ｃにおいて、ハイブリッド機器１０２がＣＡＰではない場合、構成ユニット１０６は、ハイブリッド機器１０２のＷＬＡＮ  ＡＰ及びＳＴＡモジュールをＯＮ／ＯＦＦにすべきかを決定し、ハイブリッド機器１０２の動作パラメータを決定する。ハイブリッド機器１０２のＷＬＡＮ  ＡＰ及びＳＴＡモジュールをＯＮ／ＯＦＦにすべきかは、ハイブリッド機器１０２の「特徴」と呼ばれ得る。ハイブリッド機器１０２がハイブリッド通信ネットワーク１００のＣＡＰではない場合、ハイブリッド機器１０２は、本明細書では「非ＣＡＰ」ハイブリッド機器と呼ばれることもある。ハイブリッド機器１０２がハイブリッド通信ネットワーク１００のＣＡＰではない場合、構成ユニット１０６は、非ＣＡＰハイブリッド機器１０２の特徴と動作パラメータとを決定するためにＣＡＰとともに動作することができる。構成ユニット１０６は、受信された入力（例えば、認証ステータス、チャネルスキャン結果、リンクメトリック情報、品質測定値など）を分析することができる。ハイブリッド機器１０２のＷＬＡＮインターフェースについて、構成ユニット１０６は、ＷＬＡＮ  ＡＰモジュール（例えば、アクセスポイントとして構成されたＷＬＡＮモジュール）及び／又はＷＬＡＮ  ＳＴＡモジュール（例えば、クライアントステーションとして構成されたＷＬＡＮモジュール）が使用可能にされるべきか、又は使用不可にされるべきか（例えば、ＯＮ／ＯＦＦにされるべきか）と、ハイブリッド機器１０２のＷＬＡＮモジュールが動作すべき帯域／チャネルと、ＷＬＡＮ  ＡＰモジュールが動作すべき送信電力と、衝突回避のためにＲＴＳ／ＣＴＳプロトコルが使用されるべきかどうかと、他のそのような動作情報とを示すことができる。構成ユニット１０６はまた、ハイブリッド機器１０２のブリッジング対応ネットワークインターフェースのフラッディング挙動を示すことができる。幾つかの実施形態では、ハイブリッド機器１０２のＷＬＡＮインターフェース１１４及び１１６を構成することに加えて、構成ユニット１０６は、ハイブリッド機器１０２のＰＬＣインターフェース１１２及び／又は他のネットワークインターフェース（例えば、イーサネット、ＭｏＣＡ、ＥＯＣなど）に関連する構成パラメータを決定し、示すことができる。更に、構成ユニット１０６は、ＣＡＰの動作パラメータ及び非ＣＡＰハイブリッド機器の特徴に少なくとも部分的に基づいて、非ＣＡＰハイブリッド機器の動作パラメータ（例えば、動作通信帯域、動作通信チャネル、送信電力など）を決定することができる。非ＣＡＰハイブリッド機器の特徴と、帯域と、チャネルと、電力とを決定するための動作は、図５を参照しながら更に説明する。
【００５８】
[0063]段階Ｄにおいて、監視ユニット１０８は、ハイブリッド通信ネットワーク１００を監視し、ハイブリッド機器１０２の構成を再評価すべきかどうかを決定する。監視ユニット１０８は、ハイブリッド通信ネットワーク１００のステータスを監視することができ、例えば、ネットワークインターフェースが使用不可にされているかどうか、ハイブリッド機器がハイブリッド通信ネットワーク１００に追加されているかどうか、通信リンクの品質が悪化しているかどうかなどを決定することができる。ハイブリッド通信ネットワーク１００のステータスに基づいて、監視ユニット１０８は、ハイブリッド機器１０２の構成が再評価されるべきかどうか（例えば、段階Ａ〜Ｃを参照しながら上述した動作が再実行されるべきかどうか）を決定することができる。例えば、ネットワーク機器（例えば、ハイブリッド機器又はレガシー機器）がハイブリッド通信ネットワーク１００に追加された場合、ハイブリッド機器のネットワークインターフェース（例えば、ＷＬＡＮ  ＳＴＡ）が故障した場合などに、ハイブリッド機器１０２の構成は再評価され得る。その場合、監視ユニット１０８は、ハイブリッド機器１０２の構成を再評価するよう構成ユニット１０６に通知することができる。
【００５９】
[0064]幾つかの実施形態では、ハイブリッド機器１０２の自動構成について、構成ユニット１０６は、以下で図において更に説明するように、ハイブリッド通信ネットワーク１００に関する様々な想定を行うことができる。例えば、ハイブリッド通信ネットワーク１００のネットワークゲートウェイ１２４がＣＡＰに接続されると想定され得る。ＣＡＰとして指定されたハイブリッド機器がＷＬＡＮ  ＳＴＡモジュール（例えば、クライアントステーションとして構成されたＷＬＡＮモジュール）を備えている場合、ＣＡＰのＷＬＡＮ  ＳＴＡモジュールは使用不可にされる場合がある。ＣＡＰとして指定されたハイブリッド機器は、ハイブリッド通信ネットワーク１００のＩＥＥＥ  Ｓｔｄ１９０５．１レジストラとして指定されることもある。別の例として、ハイブリッド通信ネットワーク１００が１つのＣＡＰのみを備えていると想定され得る。別の例として、ＴＣＡ対応ハイブリッド機器（例えば、本明細書で説明する自動構成のための機能を実行するハイブリッド機器）上の全てのＷＬＡＮクライアントステーションがＣＡＰ又は非ＣＡＰアクセスポイントに接続されると想定され得る。幾つかの実施形態では、ハイブリッド機器のＷＬＡＮ  ＡＰモジュールが使用可能にされた（例えば、ＯＮにされた）場合、ハイブリッド機器のＷＬＡＮ  ＳＴＡモジュールはＣＡＰと結び付くことができる。幾つかの実施形態では、ハイブリッド機器のＷＬＡＮ  ＡＰモジュールが使用不可にされた（例えば、ＯＦＦにされた）場合、ハイブリッド機器のＷＬＡＮ  ＳＴＡモジュールはＣＡＰ又はハイブリッド通信ネットワーク１００の任意の非ＣＡＰアクセスポイントのいずれかと結び付き得る。幾つかの実施形態では、ＴＣＡ対応ではないハイブリッド通信ネットワーク１００における他のネットワーク機器は、ハイブリッド通信ネットワークにおける任意のアクセスポイントに接続することができる。
【００６０】
[0065]幾つかの実施形態では、ハイブリッド通信ネットワーク１００におけるハイブリッド機器（例えば、ブリッジング対応ハイブリッド機器であるかどうかを問わない）のうちの１つ又は複数は、本明細書で説明する自動構成のための動作を実行するように構成され得る。幾つかの実施形態では、ＴＣＡ対応ハイブリッド機器を備えるハイブリッド通信ネットワーク１００はまた、レガシーＷＬＡＮ機器（例えば、ＩＥＥＥ  Ｓｔｄ１９０５．１に従って動作しないＷＬＡＮ専用機器）及び／又はレガシーＰＬＣ機器（例えば、ＩＥＥＥ  Ｓｔｄ１９０５．１に従って動作しないＰＬＣ専用機器）と互換性があり得る。
【００６１】
[0066]ハイブリッド通信ネットワーク１００が任意の適切な数のハイブリッド機器、任意の適切な数のレガシー機器を備えることができ、これらのネットワーク機器の各々が任意の適切なフォーマットで相互接続され得ることに更に留意されたい。幾つかの実施形態では、ハイブリッド通信ネットワークにおける全てのネットワーク機器がハイブリッド機器（例えば、ＩＥＥＥ  Ｓｔｄ１９０５．１互換機器）であり得る。他の実施形態では、ハイブリッド通信ネットワークにおいてカバレージを提供するために、１つ又は複数のＩＥＥＥ  Ｓｔｄ１９０５．１ハイブリッドルータが使用され得る。但し、より良好なカバレージで支援するために、ハイブリッド通信ネットワークにおいて１つ又は複数のレガシーＷＬＡＮアクセスポイントも使用され得る。この実施形態では、ユーザは、ハイブリッドルータについてのＷＬＡＮ資格情報（例えば、ＳＳＩＤ及びＷＬＡＮパスフレーズ）を、全ての既存の端末ＷＬＡＮ機器を再構成するのを回避するためにレガシーＷＬＡＮアクセスポイントのＷＬＡＮ資格情報と合致するように、手動で構成することができる。
【００６２】
[0067]図２は、ハイブリッド通信ネットワークにおけるハイブリッド機器の自動構成のための例示的な動作を示す流れ図（「フロー」）２００である。フロー２００は、ブロック２０２において開始する。
【００６３】
[0068]ブロック２０２において、ハイブリッド機器は１つ又は複数の電源投入動作を実行する。幾つかの実施形態では、ハイブリッド機器（例えば、図１のハイブリッド機器１０２）の特徴は、電源ＯＮ／ＯＦＦサイクル全体で保持されないことがある。従って、ハイブリッド機器１０２の電源がオンにされるとき、ハイブリッド機器１０２は、以下で図２〜図５において更に詳細に説明する１つ又は複数の特徴識別動作を実行することができる。フローはブロック２０４において続く。幾つかの実施形態では、例えば、リセットなしの再起動が実行された場合、ＰＬＣモジュール及びＷＬＡＮモジュールのセキュリティ証明が不揮発性メモリに記憶され得、電源サイクル全体で維持され得るので、フローはブロック２０６において続く。
【００６４】
[0069]ブロック２０４において、ハイブリッド機器はハイブリッド通信ネットワークに参加し、ネットワークインターフェースセキュリティを構成する。例えば、ＷＬＡＮインターフェースセキュリティは、ユーザ入力、プッシュボタンＷｉ−Ｆｉ（登録商標）単純接続（simple connect）（ＷＳＣ）動作、ランダム化、ＩＥＥＥ  Ｓｔｄ１９０５．１自動構成動作、又はプッシュボタン接続（ＰＢＣ）手順に依拠すること、若しくは依拠しないことがある他の適切なＷＬＡＮセキュリティ構成動作に基づいて構成され得る。別の例として、ＰＬＣインターフェースセキュリティは、ユーザ入力、プッシュボタン単純接続動作、又は他の適切なＰＬＣセキュリティ構成動作に基づいて構成され得る。フローはブロック２０６において続く。
【００６５】
[0070]ブロック２０６において、ハイブリッド機器のネットワークインターフェースのフラッディング挙動が不可にされる。フラッディング挙動は、ハイブリッド機器１０２のブリッジング挙動の一部である。一般に、ブリッジング挙動は、ハイブリッド通信ネットワーク１００を通じてユニキャストパケットがどのようにルーティングされるべきかを示し得る。ハイブリッド機器１０２のフラッディング挙動を不可にすることは、破滅的となりかねない、ハイブリッド通信ネットワーク１００の障害を引き起こし得る（ハイブリッド通信ネットワーク１００における）ブリッジングループを防止するのに役立ち得る。フラッディング挙動を不可にする際、ハイブリッド機器１０２が構成状態にある間、ハイブリッド機器１０２のネットワークインターフェースでブロードキャストパケット及びマルチキャストパケットがブリッジングされなくてよい。以下で更に説明するように、構成プロセスの一部として、ハイブリッド機器１０２の特徴が決定され得る。更に、ハイブリッド機器の各ネットワークインターフェースがブリッジングをサポートし得るかどうかも決定され得る。フラッディング挙動が不可にされた後、フローはブロック２０８において続き、ブロック２０８において、ハイブリッド機器の特徴が決定される。
【００６６】
[0071]ブロック２０８において、ハイブリッド機器の特徴が決定される。各ハイブリッド機器１０２は、以下の特徴のうちの１つを割り当てられ得る。各ハイブリッド機器１０２は、１）ハイブリッド通信ネットワーク１００の中央アクセスポイント（ＣＡＰ）、２）ＣＡＰではないが、既存のＣＡＰが故障した場合もしくはネットワーク１００から消えた場合にＣＡＰになることが可能なスタンバイＣＡＰ、３）ＣＡＰでもなくスタンバイＣＡＰでもない非ＣＡＰ機器、又は４）未知の特徴タイプであり得る。非ＣＡＰ機器は、非ＣＡＰ機器（例えば、ＷＬＡＮモジュール）が動作するように構成される通信帯域ごとに特徴を割り当てられ得る。非ＣＡＰハイブリッド機器の特徴は、本明細書では「第２レベル特徴」と呼ばれることもある。以下で図５において更に説明するように、非ＣＡＰハイブリッド機器は以下であり得る。１）アクセスポイント（例えば、ハイブリッド機器のＷＬＡＮ  ＡＰモジュールが使用可能にされ、ハイブリッド機器のＷＬＡＮ  ＳＴＡモジュールが使用不可にされる）、２）中継（例えば、ハイブリッド機器のＷＬＡＮ  ＡＰモジュール及びＷＬＡＮ  ＳＴＡモジュールが使用可能にされ、同じ通信チャネル／帯域上で動作している）、３）シンク（例えば、ハイブリッド機器のＷＬＡＮ  ＡＰモジュールが使用不可にされ、ハイブリッド機器のＷＬＡＮ  ＳＴＡモジュールが使用可能にされる）、又は４）使用不可（例えば、ハイブリッド機器のＷＬＡＮ  ＡＰモジュール及びＷＬＡＮ  ＳＴＡモジュールが使用不可にされる）。幾つかの実施形態では、ハイブリッド機器１０２が以前記憶された特徴をまったく有しない場合、ハイブリッド機器１０２は、「未知」のタイプを割り当てられる。特徴識別動作が実行された後、機器のタイプ（例えば、アクセスポイントであるか、中継であるか、シンクであるか、又は使用不可であるか）が決定され、電源サイクル全体で記憶され得る。
【００６７】
[0072]特徴識別動作が実行された（図３において更に説明する）後、ハイブリッド機器１０２がＣＡＰであると決定された場合、ハイブリッド機器１０２は、それのＷＬＡＮ資格情報を自動的に決定することができる（例えば、ＣＡＰはＳＳＩＤを選択すること、ランダムなＷＬＡＮパスフレーズを選択すること、などができる）。更にＣＡＰは、他のハイブリッド機器１１８及び１２０とともに、他のハイブリッド機器の第２レベル特徴を決定するように動作することもできる。幾つかの実施形態では（例えば、ハイブリッド通信ネットワーク１００がレガシーＷＬＡＮアクセスポイントを備えている場合）、ユーザはＳＳＩＤとＷＬＡＮパスフレーズとを選択するための動作を無効にすることができる。この実施形態では、ユーザは、ＣＡＰについてのＷＬＡＮ資格情報（例えば、ＳＳＩＤ及びＷＬＡＮパスフレーズ）を、レガシーＷＬＡＮアクセスポイントのＷＬＡＮ資格情報と合致するように、手動で構成することができる。代替的に、ＣＡＰは、（Ｗｉ−Ｆｉ  Ｐｒｏｔｅｃｔｅｄ  Ｓｅｔｕｐ（ＷＰＳ）動作を使用して）レガシーＷＬＡＮアクセスポイントのＷＬＡＮ資格情報を決定し、レガシーＷＬＡＮアクセスポイントのＷＬＡＮ資格情報を使用してそれ自体を構成し、通信ネットワーク１００における他のハイブリッド機器に、レガシーＷＬＡＮアクセスポイントのＷＬＡＮ資格情報を配布することができる。幾つかの実施形態では、通信ネットワーク１００は、複数のレガシーＷＬＡＮアクセスポイントを含むことができる。この実施形態では、同じＷＬＡＮ通信帯域（例えば、２．４ＧＨｚのＷＬＡＮ帯域、５ＧＨｚのＷＬＡＮ帯域など）上で動作するレガシーＷＬＡＮアクセスポイントの各々は、同じＷＬＡＮ資格情報を有し得る。例えば、ＣＡＰは、２．４ＧＨｚのＷＬＡＮ帯域上で動作するレガシーＷＬＡＮアクセスポイントの共通のＷＬＡＮ資格情報を使用して、２．４ＧＨｚのＷＬＡＮ帯域用のＣＡＰのＷＬＡＮ資格情報を構成することができる。ＣＡＰは、５ＧＨｚのＷＬＡＮ帯域上で動作するレガシーＷＬＡＮアクセスポイントの共通のＷＬＡＮ資格情報を使用して、５ＧＨｚのＷＬＡＮ帯域用のＣＡＰのＷＬＡＮ資格情報を構成することができる。幾つかの実施形態では、ハイブリッド機器がそれのＷＬＡＮ資格情報を取得／決定した後、これらのＷＬＡＮ資格情報は電源サイクル全体で記憶され、維持され得る。幾つかの実施形態では、ハイブリッド機器のＩＰアドレス及び／又はＭＡＣアドレスは、ハイブリッド通信ネットワーク１００のネットワークゲートウェイ１２４に登録され得る。ハイブリッド機器１０２の特徴（及び第２レベル特徴）を決定するための動作は、図３〜図５を参照しながら更に説明する。ハイブリッド機器の特徴が決定された後、フローはブロック２１０において続く。
【００６８】
[0073]ブロック２１０において、ハイブリッド機器について、帯域と、チャネルと、電力とが決定される。例えば、構成ユニット１０６は、動作通信帯域（例えば、２．４ＧＨｚのＷＬＡＮ帯域、５ＧＨｚのＷＬＡＮ帯域など）と、動作通信帯域の動作通信チャネルと、ＷＬＡＮ送信用の送信電力とを決定することができる。構成ユニット１０６は、ハイブリッド機器がＣＡＰであるかどうかに応じて、及び（ＣＡＰではない場合に）非ＣＡＰハイブリッド機器がアクセスポイント、中継、シンクとして構成されるか、又は使用不可にされるかに応じて、動作通信帯域と、動作通信チャネルと、送信電力とを決定することができる。フローはブロック２１２において続く。
【００６９】
[0074]ブロック２１２において、ハイブリッド機器のフラッディング挙動が可能にされる。例えば、ハイブリッド機器のネットワークインターフェースが、ハイブリッド通信ネットワークにおけるループを引き起こさないブリッジング動作をサポートすることができると決定された場合、ハイブリッド機器のフラッディング挙動が可能にされ得る。幾つかの実施形態では、ハイブリッド機器１０２の１つ又は複数のネットワークインターフェースについてフラッディング挙動を可能にすべきかどうかは、ハイブリッド機器１０２の特徴に依拠し得る。例えば、ハイブリッド機器１０２がＣＡＰである場合、ハイブリッド機器１０２の全てのネットワークインターフェースについて、全てのブリッジング能力が使用可能にされ得る。別の例として、ハイブリッド機器１０２がスタンバイＣＡＰである場合、経由してＣＡＰが到達可能であるネットワークインターフェースの間のブリッジング機能が使用不可にされ得る。この例では、スタンバイＣＡＰの（ネットワークゲートウェイ１２４に接続された）イーサネットインターフェースとＰＬＣインターフェースとの間のブリッジング機能が使用不可にされ得る。別の例として、ハイブリッド機器１０２が非ＣＡＰ機器である場合、ハイブリッド機器１０２と（例えば、ＣＡＰから離れている）「下流」ネットワークインターフェースとの間のブリッジング機能が使用可能にされ得る一方、ハイブリッド機器１０２と（ＣＡＰの方向にある）「上流」ネットワークインターフェースとの間のブリッジング機能が使用不可にされ得る。非ＣＡＰ機器はまた、上流ネットワークインターフェースと下流ネットワークインターフェースとの間のブリッジングを使用可能にし得る。フローはブロック２１４において続く。
【００７０】
[0075]ブロック２１４において、ハイブリッド機器構成動作を再実行すべきかどうかを決定するために、ハイブリッド通信ネットワークが監視される。監視ユニット１０８は、イベントベース又は時間ベースの監視動作を実行することができる。例えば、監視動作は周期的間隔で、及び／又はハイブリッド通信ネットワークにおける任意のハイブリッド機器のネットワークインターフェースが使用可能／使用不可にされていることを検出したことに応答して、実行され得る。監視ユニット１０８はまた、ハイブリッド機器構成動作が再実行されるべきかどうかを決定するために、チャネル性能、ハイブリッド通信ネットワークにおけるアクセスポイントから受信された信号のＲＳＳＩ、ＤＨＣＰ、トラフィック負荷、及び／又は他の適切な性能測定を分析することができる。図２に示すように、ハイブリッド機器構成動作が再実行されるべきであると監視ユニット１０８が決定した場合、監視ユニット１０８は構成ユニット１０６に、ハイブリッド機器の特徴を再評価するよう通知し、フローは２０６に戻る。
【００７１】
[0076]図３は、ハイブリッド機器の特徴を決定するための流れ図３００である。フロー３００は、ブロック３０２において開始する。
【００７２】
[0077]ブロック３０２において、イーサネットケーブルがハイブリッド機器に物理的に接続されているかどうかが決定される。図１の例を参照すると、構成ユニット１０６は、イーサネット機器がハイブリッド機器１０２のイーサネットインターフェース１１０に接続されているかどうかを決定することができる。イーサネットケーブルがハイブリッド機器１０２につなげられていると決定された場合、ハイブリッド機器１０２は、ハイブリッド機器をハイブリッド通信ネットワークのＣＡＰとして指定すべきかどうかを決定するために更に分析され得る。図３において、イーサネットケーブルがハイブリッド機器１０２につなげられていると決定された場合、フローはブロック３０４において続く。そうではない場合、ハイブリッド機器はハイブリッド通信ネットワークのＣＡＰとして指定されるべきではないと決定され、フローはブロック３１０において続く。
【００７３】
[0078]ブロック３０４において、ハイブリッド機器がハイブリッド通信ネットワークのＣＡＰであるかどうかが決定される。一例では、ハイブリッド機器１０２の構成ユニット１０６は、ハイブリッド機器１０２がハイブリッド通信ネットワーク１００のＣＡＰとして指定されるべきかどうかを決定することができる。幾つかの実施形態では、構成ユニット１０６は、ハイブリッド機器１０２がハイブリッド通信ネットワーク１００のＣＡＰであるかどうかを決定するために、ワイドエリアネットワーク（ＷＡＮ）がハイブリッド機器１０２のワイヤードネットワークインターフェースから到達可能であるかどうかを決定することができる。例えば、構成ユニット１０６は、ＷＡＮがイーサネットなどの専用の信頼できるワイヤードネットワーキング技術から到達可能であるかどうかを決定することができる。ＷＡＮがハイブリッド機器１０２のワイヤードネットワークインターフェースから到達可能ではない場合、ハイブリッド機器１０２は「非ＣＡＰ」機器として指定され得る。ＷＡＮがハイブリッド機器１０２のワイヤードネットワークインターフェースから到達可能である場合、ハイブリッド機器１０２はＣＡＰ又はスタンバイＣＡＰとして指定され得る。幾つかの実施形態では、ハイブリッド機器１０２がハイブリッド通信ネットワーク１００のＣＡＰであるかどうかを決定するために、ハイブリッド機器１０２はＤＨＣＰ検出動作を実行することができる。例えば、構成ユニット１０６は、ハイブリッド通信ネットワークがＤＨＣＰサーバを備えているかどうかを決定することができる。幾つかの実施形態では、ハイブリッド機器１０２は、所定の時間間隔において周期的間隔でＤＨＣＰ発見メッセージを送信することができる。ＤＨＣＰ発見メッセージを送信した後、ハイブリッド機器１０２は、送信された発見メッセージに応答する対応するＤＨＣＰ提供メッセージを受信するのを待つことができる。ハイブリッド機器１０２が所定の時間間隔内にＤＨＣＰ提供メッセージを受信した場合、ＤＨＣＰサーバが存在すると決定される。ハイブリッド機器１０２が送信された発見メッセージのいずれかに応答するＤＨＣＰ提供メッセージを受信しなかった場合、ハイブリッド通信ネットワークはハイブリッド機器１０２のイーサネットインターフェース１１０から到達可能なＤＨＣＰサーバを備えていないと決定される。ハイブリッド機器１０２のイーサネットインターフェース１１０から到達可能なＤＨＣＰサーバが識別され得ない場合、ハイブリッド機器１０２は「非ＣＡＰ」機器として指定され得る。ハイブリッド機器１０２のイーサネットインターフェース１１０から到達可能なＤＨＣＰサーバが識別された場合、ハイブリッド機器１０２はＣＡＰ又はスタンバイＣＡＰとして指定され得る。
【００７４】
[0079]幾つかの実施形態では、ＣＡＰは常に、ハイブリッド通信ネットワークのネットワークゲートウェイ１２４に（例えば、ネットワークゲートウェイ１２４から１ホップ又は１通信リンク離れて）直接接続される場合がある。スタンバイＣＡＰも、ネットワークゲートウェイ１２４に（例えば、ネットワークゲートウェイ１２４から１ホップ又は１通信リンク離れて）直接接続される場合がある。幾つかの実施形態では、ハイブリッド機器１０２が単一の通信インターフェース（例えば、イーサネット通信インターフェース）を介してハイブリッド通信ネットワーク１００のネットワークゲートウェイ１２４と通信可能に結合される場合、ハイブリッド機器１０２はＣＡＰ又はスタンバイＣＡＰとして指定され得る。現在のＣＡＰが使用不可にされている場合、又は現在のＣＡＰが故障している場合、スタンバイＣＡＰはハイブリッド通信ネットワークのＣＡＰになることができる。ハイブリッド機器１０２がＣＡＰとして指定されるか、又はスタンバイＣＡＰとして指定されるかは、ハイブリッド機器１０２の通信能力、ハイブリッド通信ネットワークにおける他のネットワーク機器と比較したハイブリッド機器１０２の性能測定となどに依拠し得る。ハイブリッド機器１０２がＣＡＰであると決定された場合、フローはブロック３０６において続く。そうではない場合、ハイブリッド機器１０２は「非ＣＡＰ」機器として指定されるべきであると決定され、フローはブロック３１０において続く。
【００７５】
[0080]ブロック３０６において、ＣＡＰが動作するように構成されるＷＬＡＮ通信帯域ごとにＷＬＡＮ資格情報が決定される。幾つかの実施形態では、ＣＡＰが単一の通信帯域においてのみ動作するように構成されるかどうかにかかわらず、ＷＬＡＮ資格情報は、２．４ＧＨｚのＷＬＡＮ通信帯域及び５ＧＨｚのＷＬＡＮ通信帯域用に構成される場合がある。幾つかの実施形態では、ＣＡＰモードも決定され得る。例えば、ハイブリッド機器１０２のＷＬＡＮ  ＡＰモジュールがＯＮにされ、ハイブリッド機器１０２のＷＬＡＮ  ＳＴＡモジュールがＯＦＦにされる（例えば、ハイブリッド機器１０２がイーサネットインターフェース１１０を介してネットワークゲートウェイ１２４に直接接続されているので、ＷＬＡＮ  ＳＴＡモジュールはＯＮにされる必要がない）ように、ＣＡＰが構成される場合がある。幾つかの実施形態では、ＣＡＰは、ハイブリッド通信ネットワークのＡＰレジストラ（例えば、ＩＥＥＥ  Ｓｔｄ１９０５．１ＡＰレジストラ）でもあり得る。フローはブロック３０８において続く。
【００７６】
[0081]ブロック３０８において、ＣＡＰの帯域と、チャネルと、電力とを選択するための１つ又は複数の動作（「ＣＡＰ  ＢＣＰ選択動作」）が実行される。例えば、構成ユニット１０６は、ＣＡＰが動作することになる通信帯域とチャネルとを選択し、ＣＡＰの送信電力を決定するために、ＣＡＰ  ＢＣＰ選択動作を実行することができる。ＣＡＰ  ＢＣＰ選択動作は、図４を参照しながら更に説明する。ブロック３０８からフローは終了する。
【００７７】
[0082]ブロック３１０において、ハイブリッド機器は非ＣＡＰ機器であると決定される。イーサネットケーブルがハイブリッド機器１０２のイーサネットインターフェース１１０に接続されていないと決定された場合、フロー３００はブロック３０２からブロック３１０に進み、ハイブリッド機器１０２が非ＣＡＰ機器として識別される。ハイブリッド機器がハイブリッド通信ネットワークのネットワークゲートウェイ１２４に直接接続されていない場合（例えば、ハイブリッド機器がネットワークゲートウェイ１２４から２通信ホップ以上離れている場合）、及びワイドエリアネットワークがハイブリッド機器１０２のワイヤードインターフェースから到達可能ではない場合、フロー３００はブロック３０４からブロック３１０に進み、ハイブリッド機器１０２が非ＣＡＰ機器として識別される。ハイブリッド機器が非ＣＡＰ機器として指定された後、フローはブロック３１２において続く。
【００７８】
[0083]ブロック３１２において、非ＣＡＰ機器の特徴と、帯域と、チャネルと、電力とを選択するための１つ又は複数の動作（「非ＣＡＰ  ＰＢＣＰ選択動作」）が実行される。幾つかの実施形態では、ハイブリッド機器１０２がＣＡＰではないと決定された場合、ハイブリッド機器１０２は、ユーザが非ＣＡＰハイブリッド機器１０２に関連するボタンを押すのを（例えば、プッシュボタン構成（ＰＢＣ）手順を）待つことができる。ユーザがハイブリッド機器１０２上のボタンとＣＡＰ上のボタンとを押した場合、ハイブリッド機器１０２のＷＬＡＮ  ＳＴＡモジュールは、ＣＡＰとともにＷＬＡＮ  ＰＢＣ動作及びＰＬＣ  ＰＢＣ動作を、それぞれＷＬＡＮ通信リンク及びＰＬＣ通信リンクを確立するために実行することができる。幾つかの実施形態では、（例えば、非ＣＡＰハイブリッド機器１０２の）ＷＬＡＮ  ＳＴＡモジュールがＷＬＡＮ通信リンクを使用してＣＡＰのＷＬＡＮ資格情報を決定することが不可能である場合、ＷＬＡＮ  ＳＴＡモジュールは、ＰＬＣ通信リンクが確立されると、ＰＬＣ通信リンクを介してＣＡＰからＷＬＡＮ資格情報を取得することができる。幾つかの実施形態では、ＣＡＰが構成される前にユーザが非ＣＡＰハイブリッド機器１０２のボタンと別のネットワーク内ハイブリッド機器のボタンとを押した場合に、２つのハイブリッド機器間でＰＬＣ通信リンクは確立されることがあるが、ＷＬＡＮ通信リンクは確立されないことがある。この実施形態では、ＣＡＰが構成された後、ＷＬＡＮ通信リンクが（即ち、ハイブリッド機器１０２とＣＡＰとの間で）確立され得、ＷＬＡＮ資格情報が（ＣＡＰから）２つのハイブリッド機器に転送され得る。ＣＡＰが構成され、ハイブリッド通信ネットワークの一部になった後、非ＣＡＰハイブリッド機器１０２とＣＡＰとの間の通信リンク品質測定値が決定され得、通信リンク品質測定値に基づいて非ＣＡＰハイブリッド機器１０２の特徴が決定され得る。非ＣＡＰハイブリッド機器１０２は、ハイブリッド機器１０２及びハイブリッド通信ネットワーク１００の最適な性能のために構成され得る。以下で更に説明するように、非ＣＡＰ機器は、以下のような第２レベル特徴を割り当てられ得る。１）アクセスポイント（例えば、ハイブリッド機器のＡＰがＯＮされ、ハイブリッド機器のＳＴＡがＯＦＦにされるとき）、２）中継（例えば、ＡＰとＳＴＡの両方がＯＮにされるとき）、３）シンク（例えば、ＳＴＡがＯＮにされ、ＡＰがＯＦＦにされるとき）、又は４）使用不可（例えば、ＡＰとＳＴＡの両方がＯＦＦにされるとき）。ブロック３１２からフローは終了する。
【００７９】
[0084]図４は、中央アクセスポイントの帯域と、チャネルと、電力とを選択するための例示的な動作（ＣＡＰ  ＢＣＰ選択）を示す流れ図４００である。フロー４００は、ブロック４０２において開始する。
【００８０】
[0085]ブロック４０２において、ハイブリッド通信ネットワークのＣＡＰが２．４ＧＨｚのＷＬＡＮ通信帯域において動作するように構成されるかどうかが決定される。ＣＡＰが２．４ＧＨｚのＷＬＡＮ通信帯域において動作するように構成されると決定された場合、フローはブロック４０４において続く。そうでない場合、フローはブロック４０８において続く。
【００８１】
[0086]ブロック４０４において、２．４ＧＨｚのＷＬＡＮ通信帯域におけるＣＡＰの動作のために、２．４ＧＨｚの通信チャネルが選択される。例えば、ＣＡＰは、２．４ＧＨｚのＷＬＡＮ通信帯域における好ましい性能を有する通信チャネルを識別し、選択するために、ＥＡＣＳ動作、ＡＣＳ動作、又は他の適切なチャネルスキャン動作を実行することができる。例えば、ＣＡＰは、他のアクティブなアクセスポイントを備えていない通信チャネルを選択することができる。別の例として、ＣＡＰは、低いＲＳＳＩに関連するアクティブなアクセスポイントを備えている通信チャネルを選択することができる。ＣＡＰは、２．４ＧＨｚのＷＬＡＮ通信帯域における好ましい通信チャネル上で動作するように構成され得る。フローはブロック４０６において続く。
【００８２】
[0087]ブロック４０６において、選択された２．４ＧＨｚの通信チャネルにおけるＣＡＰからのＷＬＡＮ送信のために、送信電力が選択される。幾つかの実施形態では、選択された送信電力は、ＣＡＰの最大送信電力であり得る。他の実施形態では、送信電力は、ハイブリッド通信ネットワークのトポロジー、干渉及び他のそのような考慮事項に少なくとも部分的に基づいて選択され得る。幾つかの実施形態では、送信電力が選択された後、送信電力は、受信側機器からの距離及びハイブリッド通信ネットワークの状態の変化に基づいて動的に適合され得る。フローはブロック４０８において続く。
【００８３】
[0088]ブロック４０８において、ハイブリッド通信ネットワークのＣＡＰが５ＧＨｚのＷＬＡＮ通信帯域において動作するように構成されるかどうかが決定される。ＣＡＰが５ＧＨｚのＷＬＡＮ通信帯域において動作するように構成されると決定された場合、フローはブロック４１０において続く。そうでない場合、フローは終了する。
【００８４】
[0089]ブロック４１０において、５ＧＨｚのＷＬＡＮ通信帯域におけるＣＡＰのＷＬＡＮ動作のために、５ＧＨｚの通信チャネルが選択される。例えば、ＣＡＰは、５ＧＨｚのＷＬＡＮ通信帯域における好ましい性能を有する通信チャネルを識別し、選択するために、ＥＡＣＳ動作、ＡＣＳ動作、又は他の適切なチャネルスキャン動作を実行することができる。例えば、ＣＡＰは、他のアクティブなアクセスポイントを備えていない通信チャネルを選択することができる。別の例として、ＣＡＰは、低いＲＳＳＩに関連するアクティブなアクセスポイントを備えている通信チャネルを選択することができる。このＣＡＰは、５ＧＨｚのＷＬＡＮ通信帯域における好ましい通信チャネル上で動作するように構成され得る。フローはブロック４１２において続く。
【００８５】
[0090]ブロック４１２において、選択された５ＧＨｚの通信チャネルにおけるＣＡＰからのＷＬＡＮ送信のために、送信電力が選択される。幾つかの実施形態では、選択された送信電力は、ＣＡＰの最大送信電力であり得る。他の実施形態では、送信電力は、ハイブリッド通信ネットワークのトポロジー、干渉及び他のそのような考慮事項に少なくとも部分的に基づいて選択され得る。幾つかの実施形態では、送信電力が選択された後、送信電力は、受信側機器からの距離及びハイブリッド通信ネットワークの状態の変化に基づいて動的に適合され得る。ブロック４１２からフローは終了する。
【００８６】
[0091]幾つかの実施形態では、ＣＡＰが４０ＭＨｚの動作をすることが可能である場合（例えば、ＷＬＡＮ通信帯域における各チャネルの幅が４０ＭＨｚである場合）、ＣＡＰは、動作チャネルを選択しようと試みるときに以下の動作を実行することができる。ＣＡＰは、ハイブリッド通信ネットワークにおける全てのアクセスポイントをオフにするためのメッセージを送信することができる。次いでＣＡＰは、動作通信帯域（例えば、２．４ＧＨｚのＷＬＡＮ通信帯域又は５ＧＨｚのＷＬＡＮ通信帯域）における好ましい４０ＭＨｚのチャネルを選択しようと試みることができる。近隣ネットワークにおけるＡＰによって使用されているチャネルの競合のために、４０ＭＨｚにおいて動作することは可能ではないとＣＡＰが決定した場合、ＣＡＰは、（例えば、ＷＬＡＮ通信帯域における各チャネルの幅が２０ＭＨｚである場合に）２０ＭＨｚの動作に切り替えることができる。ＣＡＰが１つ又は複数のチャネルを選択した後、ＣＡＰは、ＣＡＰが動作中であることを示すための、またＣＡＰが選択したチャネルを示すためのメッセージをブロードキャストすることができる。
【００８７】
[0092]例は、２０ＭＨｚのＷＬＡＮ動作チャネル又は４０ＭＨｚのＷＬＡＮ動作チャネルを選択するための動作について説明しているが、実施形態はそのように限定されない。他の実施形態では、ＣＡＰ（又は別の適切なネットワーク機器）は、実装されている通信プロトコルに基づいて、任意の適切な帯域幅を有する動作チャネルを選択することができる。例えば、ＣＡＰがＩＥＥＥ８０２．１１ａｃのＷＬＡＮ通信プロトコルを実装している場合、ＣＡＰは、８０ＭＨｚのＷＬＡＮ動作チャネル又は１６０ＭＨｚのＷＬＡＮ動作チャネルを選択するように構成され得る。
【００８８】
[0093]図５は、非中央アクセスポイント機器の特徴と、帯域と、チャネルと、電力とを選択するための例示的な動作（非ＣＡＰ  ＰＢＣＰ選択）を示す流れ図５００である。フロー５００は、ブロック５０２において開始する。
【００８９】
[0094]ブロック５０２において、非ＣＡＰハイブリッド機器は、ハイブリッド通信ネットワークのＣＡＰが識別され得るかどうかを決定する。例えば、ハイブリッド機器１０２の構成ユニット１０６は、ＣＡＰがハイブリッド通信ネットワークにおいて構成されて利用可能であることを示すメッセージがＣＡＰから受信されたかどうかを決定することができる。ＣＡＰが識別され得ない場合、フローはブロック５０４において続く。一方、非ＣＡＰハイブリッド機器（例えば、構成ユニット１０６）が、ＣＡＰに関連するＷＬＡＮ資格情報と、ＣＡＰが動作中であることを示す確認メッセージとを取得している場合、非ＣＡＰハイブリッド機器は、本明細書で説明する非ＣＡＰ  ＰＢＣＰ選択動作を実行する前にランダムな時間期間にわたって待つことができる。言い換えれば、ＣＡＰが以前識別されている場合、フローはブロック５０６において続く。
【００９０】
[0095]ブロック５０４において、ＣＡＰを識別するための、またＣＡＰに関連するＷＬＡＮ資格情報を決定するための１つ又は複数のメッセージがブロードキャストされる。ＣＡＰが識別され、ＣＡＰに関連するＷＬＡＮ資格情報が受信された後、構成ユニット１０６は、本明細書で説明する非ＣＡＰ  ＰＢＣＰ選択動作を実行する前にランダムな時間期間にわたって待つことができる。フローはブロック５０６において続く。
【００９１】
[0096]ブロック５０６において、非ＣＡＰハイブリッド機器とＣＡＰとの間の１つ又は複数の性能測定が決定される。例えば、非ＣＡＰハイブリッド機器は、１）全ての通信帯域上のＣＡＰへのＷＬＡＮ接続品質、２）ＣＡＰへのＰＬＣ接続品質、３）ＷＬＡＮカバレージ、４）全てのＷＬＡＮ通信帯域上でのチャネルスキャン動作によって選択された候補チャネル、及び５）非ＣＡＰハイブリッド機器とＣＡＰとの間の通信ホップ（又は通信リンク）の数の多くのうちの１つを決定することができる。
【００９２】
[0097]幾つかの実施形態では、ＣＡＰのＷＬＡＮ接続品質は、ＣＡＰが動作するように構成される全ての通信帯域（例えば、２．４ＧＨｚのＷＬＡＮ通信帯域、５ＧＨｚのＷＬＡＮ通信帯域など）上でＣＡＰから（非ＣＡＰハイブリッド機器のＷＬＡＮインターフェースにおいて）受信されたＷＬＡＮ信号の信号強度（例えば、ＲＳＳＩ）であり得る。詳細には、ＷＬＡＮ接続品質は、非ＣＡＰハイブリッド機器のＷＬＡＮ  ＳＴＡモジュールとＣＡＰとの間の接続（即ち、通信リンク）の品質を表し得る。ＷＬＡＮ接続が存在しないか、又は低品質である場合、ＷＬＡＮ接続品質は「不十分」と見なされ得る。ＷＬＡＮ接続が高品質である場合、ＷＬＡＮ接続品質は「十分」と見なされ得る。幾つかの実施形態では、ＣＡＰから受信された信号のＲＳＳＩが所定のＲＳＳＩ閾値（例えば、以下で更に説明するＲＳＳＩ＿ｍｏｄｅｒａｔｅ＿ｔｈｒｅｓｈｏｌｄ）を上回る場合、ＷＬＡＮ接続品質は十分と見なされる。そうではなく、ＣＡＰから受信された信号のＲＳＳＩが所定のＲＳＳＩ閾値（例えば、ＲＳＳＩ＿ｍｏｄｅｒａｔｅ＿ｔｈｒｅｓｈｏｌｄ）を下回る場合、ＷＬＡＮ接続品質は不十分と見なされる。他の実施形態では、構成ユニット１０６は、ＷＬＡＮ接続を介してＣＡＰと非ＣＡＰハイブリッド機器との間でサポートされるデータレートをチェックするために、短いデータレートテストを実行することができる。構成ユニット１０６は、サポートされるデータレートに少なくとも部分的に基づいてＷＬＡＮ接続品質を決定することができる。
【００９３】
[0098]ＰＬＣ接続品質は、ハイブリッド機器のＰＬＣモジュールとＣＡＰとの間のデータ接続（即ち、通信リンク）の品質を表し得る。ＰＬＣ接続が存在しないか、又は低品質である場合、ＰＬＣ接続品質は「不十分」と見なされ得る。ＰＬＣ接続が高品質である場合、ＰＬＣ接続品質は「十分」と見なされ得る。幾つかの実施形態では、ＣＡＰへのＰＬＣ接続品質は、非ＣＡＰハイブリッド機器のＰＬＣインターフェースにおいてＣＡＰから受信されたＰＬＣ信号の信号強度を示し得る。幾つかの実施形態では、非ＣＡＰハイブリッド機器（例えば、構成ユニット１０６）は、非ＣＡＰハイブリッド機器とＣＡＰとの間のＰＬＣ接続品質（例えば、信号強度）について、非ＣＡＰハイブリッド機器のＰＬＣモジュールに照会することができる。ＰＬＣ接続品質が所定の品質（例えば、以下で更に説明するＰＬＣ＿ａｄｅｑｕａｔｅ＿ｔｈｒｅｓｈｏｌｄ）を上回る場合、ＰＬＣ接続品質は十分と見なされる。そうではなく、ＰＬＣ接続品質が所定の品質（例えば、ＰＬＣ＿ａｄｅｑｕａｔｅ＿ｔｈｒｅｓｈｏｌｄ）を下回る場合、ＰＬＣ接続品質は不十分と見なされる。他の実施形態では、構成ユニット１０６は、ＰＬＣ接続を介してＣＡＰとハイブリッド機器との間でサポートされるデータレートをチェックするために、短いデータレートテストを実行することができる。構成ユニット１０６は、サポートされるデータレートに少なくとも部分的に基づいてＰＬＣ接続品質を決定することができる。
【００９４】
[0099]２．４ＧＨｚのＷＬＡＮカバレージは、非ＣＡＰハイブリッド機器とハイブリッド通信ネットワーク１００における（ＣＡＰを含む）任意のアクセスポイントとの間で測定された全てのＲＳＳＩ値のうちの最大値であり得る。一般に、（上述の）ＷＬＡＮ接続品質は、非ＣＡＰハイブリッド機器とＣＡＰとの間の通信リンクの品質を指し得る。２．４ＧＨｚのＷＬＡＮカバレージは、非ＣＡＰハイブリッド機器とハイブリッド通信ネットワークにおける各アクセスポイントとの間の通信リンクの品質（例えば、ＲＳＳＩ）を分析することに基づいて決定される。非ＣＡＰハイブリッド機器は、ＣＡＰへの非ＣＡＰハイブリッド機器の接続性を、非ＣＡＰハイブリッド機器が一般にそれの通信の大部分をＣＡＰに送信するという理由で決定し得る。一方、ハイブリッド通信ネットワークにおける他のアクセスポイントへの非ＣＡＰハイブリッド機器の接続性を決定することによって（例えば、２．４ＧＨｚのＷＬＡＮカバレージを決定することによって）、非ＣＡＰハイブリッド機器は、それの送信がハイブリッド通信ネットワークにおいて干渉を引き起こすことになるかどうかを決定することができる。例えば、互いに極めて近接して２つの非ＣＡＰハイブリッド機器があり、それらの非ＣＡＰハイブリッド機器のうちの１つがアクセスポイントとして構成される場合に、他方の非ＣＡＰハイブリッド機器は、干渉を低減するためにアクセスポイントして構成されないことがある。
【００９５】
[00100]一例では、２．４ＧＨｚのＷＬＡＮカバレージは、２．４ＧＨｚのＷＬＡＮ通信帯域における任意のチャネル上での非ＣＡＰハイブリッド機器とＳＳＩＤを所定のＳＳＩＤ（例えば、一例では「ＳＳＩＤ１」）に設定した任意のアクセスポイントとの間で測定された全てのＲＳＳＩ値のうちの最大値であり得る。この例では、ＳＳＩＤ１は、２．４ＧＨｚのＷＬＡＮ通信帯域についてＩＥＥＥ  Ｓｔｄ１９０５．１レジストラ上で構成されたＳＳＩＤを表し得る。２．４ＧＨｚのＷＬＡＮカバレージは、非ＣＡＰハイブリッド機器の位置における２．４ＧＨｚのＷＬＡＮ通信帯域のＷＬＡＮカバレージを推定するために使用され得る。２．４ＧＨｚのＷＬＡＮカバレージは、最大ＲＳＳＩ値が第１のＲＳＳＩ閾値を下回る（例えば、信号＜ＲＳＳＩ＿ｍｏｄｅｒａｔｅ＿ｔｈｒｅｓｈｏｌｄ）場合に「弱」と見なされ得る。２．４ＧＨｚのＷＬＡＮカバレージが弱である場合に、非ＣＡＰハイブリッド機器は、ハイブリッド通信ネットワークにおける中継として構成されないことがある。２．４ＧＨｚのＷＬＡＮカバレージは、最大ＲＳＳＩ値が第１のＲＳＳＩ閾値及び第２のＲＳＳＩ閾値の範囲に入る（例えば、ＲＳＳＩ＿ｍｏｄｅｒａｔｅ＿ｔｈｒｅｓｈｏｌｄ≦信号＜ＲＳＳＩ＿ｇｏｏｄ＿ｔｈｒｅｓｈｏｌｄ）場合に「中」と見なされ得る。２．４ＧＨｚのＷＬＡＮカバレージが中である場合に、非ＣＡＰハイブリッド機器は、ハイブリッド通信ネットワークの中継として構成される可能性がある。２．４ＧＨｚのＷＬＡＮカバレージは、最大ＲＳＳＩ値が第２のＷＬＡＮ閾値を上回る（例えば、ＲＳＳＩ＿ｇｏｏｄ＿ｔｈｒｅｓｈｏｌｄ≦信号）場合に「良好」と見なされ得る。２．４ＧＨｚのＷＬＡＮカバレージが良好である場合に、非ＣＡＰハイブリッド機器は、潜在的な干渉の問題を理由にハイブリッド通信ネットワークの中継として構成されないことがある。しかしながら、非ＣＡＰハイブリッド機器は依然として、ＳＳＩＤ１に関する好ましいチャネルがＣＡＰのチャネルと同じ場合にはＣＡＰのチャネル上で中継になり得る。ＲＳＳＩ＿ｍｏｄｅｒａｔｅ＿ｔｈｒｅｓｈｏｌｄは、それを上回ると通信リンクの品質が「中」と見なされるＷＬＡＮ  ＲＳＳＩ閾値であり得ることに留意されたい。ＲＳＳＩ＿ｇｏｏｄ＿ｔｈｒｅｓｈｏｌｄは、ＲＳＳＩ＿ｍｏｄｅｒａｔｅ＿ｔｈｒｅｓｈｏｌｄ以上であり得、それを上回ると通信リンクの品質が「良好」と見なされるＲＳＳＩ閾値であり得る。ＷＬＡＮ  ＲＳＳＩ閾値は、任意の適切な値であってよく、ハイブリッド通信ネットワークにおける機器の数及びタイプ、ネットワークトポロジー、トラフィック、ならびに他の適切な要因に基づいて決定され得る。
【００９６】
[00101]ハイブリッド機器の５ＧＨｚのＷＬＡＮカバレージを決定するための動作は、２．４ＧＨｚのＷＬＡＮカバレージに関して同様に上述したように実行され得る。５ＧＨｚのＷＬＡＮカバレージを決定するために、非ＣＡＰハイブリッド機器（例えば、構成ユニット１０６）は、非ＣＡＰハイブリッド機器と５ＧＨｚのＷＬＡＮ通信帯域において動作している各アクセスポイントとの間の５ＧＨｚのＷＬＡＮ通信帯域におけるＲＳＳＩ測定値を決定することができる。幾つかの実施形態では、２．４ＧＨｚのＷＬＡＮ通信帯域及び５ＧＨｚのＷＬＡＮ通信帯域についてのＲＳＳＩ測定値は同じであり得る。一方、他の実施形態では、伝搬特性の相違により、２．４ＧＨｚのＷＬＡＮ通信帯域についてのＲＳＳＩ測定値は、５ＧＨｚのＷＬＡＮ通信帯域についてのＲＳＳＩ測定値とは異なり得る。
【００９７】
[00102]幾つかの実施形態では、２．４ＧＨｚのＷＬＡＮ通信帯域についてのＲＳＳＩ測定値は、所定の時間間隔において決定され、平均化され得る。同様に、５ＧＨｚのＷＬＡＮ通信帯域についてのＲＳＳＩ測定値は、所定の時間間隔において決定され、平均化され得る。幾つかの実施形態では、２．４ＧＨｚのＷＬＡＮ通信帯域についてのＲＳＳＩ測定値を決定するための時間間隔は、５ＧＨｚのＷＬＡＮ通信帯域についてのＲＳＳＩ測定値を決定するための時間間隔とは異なり得る。他の実施形態では、２．４ＧＨｚのＷＬＡＮ通信帯域についてのＲＳＳＩ測定値及び５ＧＨｚのＷＬＡＮ通信帯域についてのＲＳＳＩ測定値は、同じ時間間隔中に決定され得る。更に、非ＣＡＰハイブリッド機器はまた、各ＷＬＡＮ通信帯域上の候補チャネル（例えば、好ましい性能を有するチャネル）を選択するためにチャネルスキャン動作を実行することができる。非ＣＡＰハイブリッド機器はまた、非ＣＡＰハイブリッド機器とＣＡＰとの間の通信ホップ（又は通信リンク）の数を決定することができる。非ＣＡＰハイブリッド機器とＣＡＰとの間の性能測定が決定された後、フローはブロック５０８において続く。
【００９８】
[00103]ブロック５０８において、非ＣＡＰハイブリッド機器とＣＡＰとの間の１つ又は複数の性能測定に少なくとも部分的に基づいて、非ＣＡＰハイブリッド機器のＡＰモジュール及び非ＣＡＰハイブリッド機器のＳＴＡモジュールの構成が決定される。非ＣＡＰハイブリッド機器のＷＬＡＮ  ＡＰモジュール及びＷＬＡＮ  ＳＴＡモジュールの構成は、ＷＬＡＮ  ＡＰモジュールがＯＮ／ＯＦＦにされるかと、ＷＬＡＮ  ＳＴＡモジュールがＯＮ／ＯＦＦにされるかとを示すことができる。非ＣＡＰハイブリッド機器のＷＬＡＮ  ＡＰモジュール及びＷＬＡＮ  ＳＴＡモジュールの構成は、非ＣＡＰハイブリッド機器の特徴と呼ばれることもある。幾つかの実施形態では、候補チャネルに加えて、ＣＡＰが現在動作しているチャネルも、非ＣＡＰハイブリッド機器の特徴を決定している間に考慮され得る。例えば、構成ユニット１０６は、候補チャネルから好ましいチャネル（例えば、最高のＲＳＳＩ、最低のエラー率などのような、最良の性能を有するチャネル）を識別し、好ましいチャネルを、ＣＡＰが現在動作しているチャネルと比較し、非ＣＡＰハイブリッド機器をアクセスポイントとして構成すべきか、又は中継として構成すべきかを決定することができる。非ＣＡＰハイブリッド機器の好ましいチャネルが、ＣＡＰが現在動作しているチャネルと合致する場合、非ＣＡＰハイブリッド機器は、中継として構成され得る（例えば、非ＣＡＰハイブリッド機器のＷＬＡＮ  ＡＰモジュール及びＷＬＡＮ  ＳＴＡモジュールはＯＮにされ得る）。非ＣＡＰハイブリッド機器の好ましいチャネルが、ＣＡＰが現在動作しているチャネルと合致しない場合、非ＣＡＰハイブリッド機器は、アクセスポイントとして構成され得る（例えば、ＷＬＡＮ  ＡＰモジュールはＯＮにされ得、ＷＬＡＮ  ＳＴＡモジュールはＯＦＦにされ得る）。ブロック５０８からフローは終了する。
【００９９】
[00104]非ＣＡＰハイブリッド機器の特徴を決定すると、構成ユニット１０６は、（例えば、非ＣＡＰハイブリッド機器の特徴が、測定されたＷＬＡＮ２．４ＧＨｚのＳＳＩＤ１信号強度の選択された閾値によって影響され得る場合に）ＷＬＡＮ  ＡＰモジュールを頻繁にＯＮ／ＯＦＦにするのを回避しようとすることがあり、その理由は、これがサービスの中断を引き起こし得ることにある（例えば、理由は、接続されたＷＬＡＮ  ＳＴＡが他のアクセスポイントと再び結び付く必要があり得ることにある）。以下で更に説明するように、ＣＡＰへのＷＬＡＮ接続の品質（「ＷＬＡＮ接続品質」）、ＣＡＰへのＰＬＣ接続の品質（「ＰＬＣ接続品質」）、２．４ＧＨｚのＷＬＡＮカバレージ、及び／又は５ＧＨｚのＷＬＡＮカバレージに少なくとも部分的に基づいて、（「第２レベル特徴」とも呼ばれる）非ＣＡＰハイブリッド機器の特徴が決定され得る。
【０１００】
[00105]幾つかの実施形態では、非ＣＡＰハイブリッド機器は、単一バンド単一無線（ＳＢＳＲ：single band single radio）機器であり得る。ＳＢＳＲ機器は、単一の通信帯域（例えば、２．４ＧＨｚのＷＬＡＮ通信帯域又は５ＧＨｚのＷＬＡＮ通信帯域のいずれか）において動作するようにのみ構成されたＷＬＡＮ機器であり得る。幾つかの実施形態では、ＳＢＳＲ機器が動作し得る通信帯域が、製造中に決定され得る。一般に、ＣＡＰへのＷＬＡＮ接続が十分である場合（例えば、非ＣＡＰハイブリッド機器においてＣＡＰから検出された信号強度が閾値信号強度を上回る場合）、非ＣＡＰハイブリッド機器のＷＬＡＮ  ＳＴＡモジュールはＯＮにされ得る。また、２．４ＧＨｚのＷＬＡＮカバレージが弱又は中である場合、非ＣＡＰハイブリッド機器のＷＬＡＮ  ＡＰモジュールはＯＮにされ得る。ＷＬＡＮ接続品質とＰＬＣ接続品質の両方が弱である場合、非ＣＡＰハイブリッド機器のＷＬＡＮ  ＡＰモジュールはＯＦＦにされ得る。通常、ＷＬＡＮ接続品質が２．４ＧＨｚの通信帯域において十分である場合、２．４ＧＨｚのＷＬＡＮカバレージは中又は良好であり得る。
【０１０１】
[00106]幾つかの実施形態では、２．４ＧＨｚの単一バンド単一無線機器の場合、非ＣＡＰハイブリッド機器のＷＬＡＮ  ＳＴＡモジュール及びＷＬＡＮ  ＡＰモジュールは通常、同じ通信チャネル上で動作する。これは、非ＣＡＰハイブリッド機器のＷＬＡＮ  ＡＰモジュールが、非ＣＡＰハイブリッド機器のＷＬＡＮ  ＳＴＡモジュールが動作する通信チャネル上で動作することを求められ得ることを意味する。但し、ＷＬＡＮ  ＳＴＡモジュールがＯＦＦにされた場合、ＷＬＡＮ  ＡＰモジュールは異なる通信チャネルを選択することができる。従って、（例えば、２．４ＧＨｚのＷＬＡＮカバレージを拡張する）幾つかの実施形態では、ＷＬＡＮ  ＡＰモジュールにとって性能がより効率的である別の通信チャネルをＷＬＡＮ  ＡＰモジュールに選択させるために、（ＷＬＡＮ受信が良好である場合でも）ＷＬＡＮ  ＳＴＡモジュールがＯＦＦにされ得る。これは、非ＣＡＰハイブリッド機器の接続性と範囲／容量の増大との間のトレードオフをもたらし得る。幾つかの実施形態では、２．４ＧＨｚのＷＬＡＮカバレージが良好である場合、非ＣＡＰハイブリッド機器がＷＬＡＮ  ＡＰモジュールをＯＮにすることを選択できる場合、及びＷＬＡＮ  ＡＰモジュールがＣＡＰとは異なるチャネルを使用する場合、ＷＬＡＮ  ＡＰモジュールをＯＮにすることで、近隣ネットワークにおけるネットワーク機器によるチャネル再利用の可能性の低下と引き換えに、ハイブリッド通信ネットワークの容量を増大させることができる。
【０１０２】
[00107]幾つかの実施形態では、ＣＡＰは、固定された動作帯域を有するデュアルバンド単一無線（ＤＢＳＲ）機器であり得る。ＤＢＳＲ機器は、２．４ＧＨｚのＷＬＡＮ通信帯域又は５ＧＨｚのＷＬＡＮ通信帯域のいずれかで動作することができるが、同時に動作することはできないＷＬＡＮ機器であり得る。ＣＡＰがＤＢＳＲ機器である場合、非ＣＡＰハイブリッド機器は、非ＣＡＰハイブリッド機器がハイブリッド通信ネットワークにおいてＤＢＳＲ  ＣＡＰを検出したときに動作の帯域を選択するために管理情報ベース（ＭＩＢ）設定を使用することができる。幾つかの実施形態では、ＭＩＢデフォルト設定は、２．４ＧＨｚのＷＬＡＮ通信帯域であり得る。幾つかの実施形態では、５ＧＨｚのＷＬＡＮ通信帯域が選択されることもある。上述のように、ＣＡＰが単一バンド単一無線（ＳＢＳＲ）機器である場合、非ＣＡＰハイブリッド機器は、ＣＡＰと同じ通信帯域及び通信設定（例えば、ＳＳＩＤ、セキュリティ設定など）を選択することができる。非ＣＡＰハイブリッド機器が２．４ＧＨｚのＷＬＡＮ通信帯域を選択した場合、非ＣＡＰハイブリッド機器（例えば、構成ユニット１０６）は、非ＣＡＰハイブリッド機器の特徴を決定するために上述の動作を実行することができる。そうではなく、非ＣＡＰハイブリッド機器が５ＧＨｚのＷＬＡＮ通信帯域を選択した場合、非ＣＡＰハイブリッド機器（例えば、構成ユニット１０６）は、非ＣＡＰハイブリッド機器の特徴を決定するために後述の動作を実行することができる。
【０１０３】
[00108]幾つかの実施形態では、非ＣＡＰハイブリッド機器は、デュアルバンドデュアル同時（ＤＢＤＣ）機器であり得る。ＤＢＤＣ機器は、２．４ＧＨｚのＷＬＡＮ通信帯域及び５ＧＨｚのＷＬＡＮ通信帯域において同時に動作することができるＷＬＡＮ機器であり得る。非ＣＡＰハイブリッド機器の第２レベル特徴は、ＣＡＰへのＷＬＡＮ接続品質、ＣＡＰへのＰＬＣ接続品質、及び／又は２．４ＧＨｚのＷＬＡＮカバレージに応じて割り当てられ得る。幾つかの実施形態では、ＤＢＤＣの非ＣＡＰハイブリッド機器の第２レベル特徴を決定する間に、５ＧＨｚのＷＬＡＮカバレージが考慮され得る。ＣＡＰもＤＢＤＣ機器である場合、非ＣＡＰハイブリッド機器は、２つの通信帯域（例えば、２．４ＧＨｚ及び５ＧＨｚのＷＬＡＮ通信帯域）で互いに別個に動作することができ、それにより、これらのＷＬＡＮ通信帯域のいずれにもないか、これらのうちの１つにあるか、これらの両方にあるＷＬＡＮ  ＡＰモジュールがアクティブになり得、動作チャネルが別個に選択され得ることに留意されたい。一方、ＣＡＰがＳＢＳＲ機器である場合、非ＣＡＰハイブリッド機器は、ＣＡＰと同じ通信資格情報（例えば、ＳＳＩＤ／セキュリティ）により両方の通信帯域を構成することができる。一般に、非ＣＡＰハイブリッド機器のＷＬＡＮ  ＳＴＡモジュールは、２．４ＧＨｚ又は５ＧＨｚのＷＬＡＮ通信帯域（より良好な接続性を有する方）によりＣＡＰに接続しようと試みることができ、２．４ＧＨｚのＷＬＡＮ通信帯域上で送信するために、２．４ＧＨｚのＷＬＡＮカバレージを改善するために、また２．４ＧＨｚのＷＬＡＮ通信帯域が一杯になった／占有された後に５ＧＨｚのＷＬＡＮ通信帯域上で送信するために、ＷＬＡＮ  ＡＰ機器をＯＮにすることができる。非ＣＡＰ  ＤＢＤＣハイブリッド機器は複数の特徴を、非ＣＡＰハイブリッド機器が動作するように構成される通信帯域ごとに１つ割り当てられ得る。幾つかの実施形態では、非ＣＡＰハイブリッド機器は、同じＷＬＡＮ及びＰＬＣの入力条件の場合に、別様に構成され得る。
【０１０４】
[00109]ＣＡＰへのＷＬＡＮ接続品質、ＣＡＰへのＰＬＣ接続品質、及び／又は５ＧＨｚのＷＬＡＮカバレージに応じて、非ＣＡＰハイブリッド機器に第２レベル特徴が割り当てられ得る。一般に、ＣＡＰへのＷＬＡＮ接続品質が十分である場合、非ＣＡＰハイブリッド機器のＷＬＡＮ  ＳＴＡモジュールはＯＮにされ得る。ネットワークゲートウェイ１２４への良好なＷＬＡＮ又はＰＬＣの接続がある場合、非ＣＡＰハイブリッド機器のＷＬＡＮ  ＡＰモジュールはＯＮにされ得る。通常、５ＧＨｚ帯域におけるチャネルの数は多く、従って、チャネル再利用は、２．４ＧＨｚ帯域の場合のように懸念されるものではない。
【０１０５】
[00110]上述のように、幾つかの実施形態では、構成ユニット１０６は、非ＣＡＰハイブリッド機器のＷＬＡＮ  ＡＰモジュールが動作すべき好ましいチャネルを選択するために適切なチャネルスキャン／選択アルゴリズム（例えば、強化型自動チャネル選択（ＥＡＣＳ：enhanced automatic channel selection）アルゴリズム）を使用することができる。例えば、構成ユニット１０６は、最良の性能に関連するチャネルを選択することができる。ＷＬＡＮ通信帯域ごとに、ＥＡＣＳアルゴリズムは、良好な性能を有する候補チャネル（例えば、閾値性能を上回る候補チャネル）のリストを示すことができ、候補チャネルは選好／性能に基づいて順序付けられ得る。チャネル選択アルゴリズムはまた、候補リスト上のチャネルごとに、検出されたサービスセット識別子（ＳＳＩＤ）のリストと、検出された基本サービスセット識別子（ＢＳＳＩＤ）のリストと、チャネルのチャネル利用とを示すことができる。幾つかの実施形態では、構成ユニット１０６は、他のアクティブなアクセスポイントを備えていないチャネルを選択することができる。他の実施形態では、構成ユニット１０６は、低いＲＳＳＩに関連するアクティブなアクセスポイントを備えている通信チャネルを選択することができる。幾つかの実施形態では、上述のように、非ＣＡＰハイブリッド機器のＷＬＡＮ  ＡＰモジュールがＯＮにされるべきであると決定された場合、非ＣＡＰハイブリッド機器（例えば、構成ユニット１０６）は、ＷＬＡＮ  ＡＰモジュールが動作すべき好ましいチャネルを選択することができる。但し、他の実施形態では、非ＣＡＰハイブリッド機器（例えば、構成ユニット１０６）は、（例えば、好ましいチャネルが、ＣＡＰが動作するチャネルと同じである場合に）第２の好ましいチャネルを選択することもできる。他の実施形態では、非ＣＡＰハイブリッド機器のＷＬＡＮ  ＡＰモジュールが動作すべき１つ又は複数のチャネルを決定するために他の適切なチャネル選択手順が実行され得る。
【０１０６】
[00111]幾つかの実施形態では、チャネルを選択するための動作を実行するとき、非ＣＡＰハイブリッド機器（例えば、構成ユニット１０６）は、ＣＡＰによって現在使用されている１次チャネルにペナルティを適用することができ、ＣＡＰによって使用される２次チャネルを使用するのを回避することができる。これは、（ＣＡＰへの干渉を回避するために）ＣＡＰによって選択された１次チャネル及び２次チャネルとは異なるチャネルを構成ユニット１０６が選択することを確実にし得る。（図５に記述した）非ＣＡＰ  ＰＣＢＰ選択動作が実行された後、非ＣＡＰハイブリッド機器のＷＬＡＮ  ＡＰモジュールがＯＦＦにされた場合、非ＣＡＰハイブリッド機器のＷＬＡＮ  ＳＴＡモジュールがＯＮにされた場合、及び非ＣＡＰハイブリッド機器のＷＬＡＮ  ＳＴＡモジュールが、ハイブリッド通信ネットワークのＣＡＰではないアクセスポイントに接続され、そのアクセスポイントに関連付けられる場合、非ＣＡＰハイブリッド機器は、モードＢで動作していると見なされる。そうではない場合、非ＣＡＰハイブリッド機器は、モードＡで動作していると見なされる。以下で更に説明するように、監視ユニット１０８は、非ＣＡＰハイブリッド機器がモードＡで動作しているか、又はモードＢで動作しているかに応じて、異なる監視動作を実行することができる。
【０１０７】
[00112]図２〜図５において上述したＣＡＰ  ＢＣＰ選択動作及び非ＣＡＰ  ＰＢＣＰ選択動作が実行され、ハイブリッド機器の特徴が決定された後、監視ユニット１０８は、以下で更に説明する監視手順を実行することができる。監視ユニット１０８は、ハイブリッド機器１０２の特徴と構成とに影響を与え得る変化を検出するためにハイブリッド通信ネットワーク１００と機器ステータスとを（例えば、継続的に、周期的間隔で、など）監視することができる。例えば、ユーザがハイブリッド通信ネットワーク１００におけるネットワーク機器の電源を切ること、又はネットワーク機器を動かすこと、無線状態が変化すること、ＰＬＣ接続品質が変化すること、ＷＬＡＮ接続品質が変化すること、などがある。別の例として、ハイブリッド機器１０２のイーサネットケーブルが接続されること、又は以前接続されたイーサネットケーブルの接続が断たれることがある。別の例として、ハイブリッド通信ネットワーク１００の既存のＣＡＰが到達不可能であること、又は変化することがある。監視ユニット１０８がハイブリッド通信ネットワーク１００における変化を検出した場合、監視ユニット１０８は構成ユニット１０６に、ハイブリッド通信ネットワークにおける変化がハイブリッド機器１０２の特徴の変化に１００をもたらしているかどうかを決定するためにハイブリッド機器１０２の特徴を決定するための動作を再実行させることができる。例えば、ハイブリッド機器１０２の特徴を決定するための動作は、ハイブリッド通信ネットワーク１００に新しいＣＡＰがあるかどうか、ハイブリッド機器１０２のＷＬＡＮ  ＡＰ及びＳＴＡモジュールの構成が変更されるべきかどうか、などを決定するために再実行され得る。但し、監視ユニット１０８は、ハイブリッド機器１０２の特徴を決定するための動作があまり頻繁に再実行されないように構成され得、それにより、ハイブリッド機器１０２の特徴が２つ以上の値の間で行ったり来たりしないようにすることができる。安定性とネットワーク性能に影響を与え得る変更への合理的な反応時間とを実現するために、時間領域における組み込まれたヒステリシス及び性能測定（例えば、ＰＬＣデータレート、ＷＬＡＮデータレートなど）の分析が使用され得る。
【０１０８】
[00113]上述のように、非ＣＡＰハイブリッド機器のＷＬＡＮ  ＡＰモジュールがＯＦＦにされた場合、非ＣＡＰハイブリッド機器のＷＬＡＮ  ＳＴＡモジュールがＯＮにされた場合、及び非ＣＡＰハイブリッド機器のＷＬＡＮ  ＳＴＡモジュールが、ハイブリッド通信ネットワークのＣＡＰではないアクセスポイントに接続され、そのアクセスポイントに関連付けられる場合、非ＣＡＰハイブリッド機器は、モードＢで構成されると見なされる。そうではない場合、非ＣＡＰハイブリッド機器は、モードＡで構成されると見なされる。幾つかの実施形態では、ハイブリッド機器がモードＡで構成される場合、ハイブリッド機器（例えば、監視ユニット１０８）は、周期的に（例えば、ＴＣＡ＿ｐｅｒｉｏｄｉｃ＿ｔｉｍｅｒ秒ごとに）及び周期的時間間隔内（例えば、ＴＣＡ＿ｐｅｒｉｏｄｉｃ＿ｔｉｍｅｒによって示された時間間隔内）に少なくとも１回（例えば、ランダムに選択された、又は所定の時刻に）監視手順を実行することができる。一方、ハイブリッド機器がモードＢで構成される場合、ハイブリッド機器（例えば、監視ユニット１０８）は、ＷＬＡＮ接続の性能／品質がハイブリッド機器のＷＬＡＮ  ＳＴＡモジュールと（ＣＡＰではない）関連アクセスポイントとの間で測定され得ることを除いて、説明したような監視手順を実行することができる。
【０１０９】
[00114]図１〜図５、及び本明細書で説明する動作は、実施形態の理解を助けることが意図された例であり、実施形態を限定するために、又は特許請求の範囲を限定するために使用されるべきではないことを理解されたい。実施形態は、追加の動作と、より少ない動作と、異なる順序の動作と、並列の動作と、幾つかの動作とを別様に実行することができる。例えば、非ＣＡＰハイブリッド機器のＷＬＡＮ  ＡＰモジュールがＯＦＦにされるべきであることを要求するＣＡＰからのコマンド／メッセージを非ＣＡＰハイブリッド機器が受信した場合、非ＣＡＰハイブリッド機器のＷＬＡＮ  ＡＰモジュールは、ＣＡＰが動作中で、ＷＬＡＮ  ＡＰモジュールがＯＮにされてよいことを示すブロードキャストメッセージをＷＬＡＮ  ＡＰモジュールが受信するまで、送信／受信を停止し得る。ＣＡＰが動作中であることを示すブロードキャストメッセージを受信した後、非ＣＡＰハイブリッド機器は、ランダムな時間期間にわたって待ち、次いで、本明細書で図５において述べた非ＣＡＰ  ＰＢＣＰ選択動作の実行を再開することができる。
【０１１０】
[00115]幾つかの実施形態では、好ましい性能を有する通信チャネルが、所定のパラメータの最良の値を有する通信チャネルとして選択され得る。例えば、他のアクティブなアクセスポイントを備えていない通信チャネルが選択され得る。別の例として、低いＲＳＳＩに関連するアクティブなアクセスポイントを備えている通信チャネルが選択され得る。他の実施形態では、好ましい性能を有する通信チャネルが、複数のパラメータの組合せに基づいて選択され得る。
【０１１１】
[00116]例は、ＣＡＰへのＷＬＡＮ接続品質、ＣＡＰへのＰＬＣ接続品質、２．４ＧＨｚ（及び／又は５ＧＨｚ）のＷＬＡＮカバレージに基づいて非ＣＡＰハイブリッド機器の特徴を決定することに言及するが、実施形態はそのように限定されない。他の実施形態では、上述の入力に加えて、非ＣＡＰハイブリッド機器の特徴を決定するための動作は、非ＣＡＰハイブリッド機器が端末機器に接続されるかどうかを考慮することもできる。例えば、非ＣＡＰハイブリッド機器によって生成された（又は中継された）データを消費することになる端末機器（例えば、イーサネット機器）に非ＣＡＰハイブリッド機器が接続される場合、非ＣＡＰハイブリッド機器は、ＷＬＡＮカバレージを改善することよりも、余分な上流リンクを確立することを選択し得る。
【０１１２】
[00117]幾つかの実施形態では、ハイブリッド通信ネットワークに複数のアクセスポイントがある場合、構成ユニット１０６は、アクセスポイントが動作すべき通信チャネル及び／又は通信帯域を決定することができる。例えば、２つのアクセスポイントが互いに遠く離れている（例えば、少なくとも閾値距離だけ分離されている）場合、アクセスポイントは、同じ通信チャネルを再利用すること、又は（可能な場合に）異なるチャネルを使用することがある。別の例として、２つのアクセスポイントが互いに近い場合、アクセスポイントは異なるチャネルを使用し得る。別の例として、２つのアクセスポイントが互いにかなり近い（例えば、数フィートによって分離されている）場合、アクセスポイントは、異なる通信帯域上で送信し得る（例えば、アクセスポイントのうちの１つが２．４ＧＨｚの通信帯域を使用し得るのに対し、他方のアクセスポイントは５ＧＨｚの通信帯域を使用し得る）。
【０１１３】
[00118]幾つかの実施形態では、ハイブリッド機器１０２は、ハイブリッド機器１０２の様々なステータスを示すための１つ又は複数のインジケータ（例えば、ＬＥＤインジケータ）を実装することができる。幾つかの実施形態では、ハイブリッド機器１０２は、電力／ステータス／セキュリティＬＥＤ、イーサネットポートステータスＬＥＤ、ＷＬＡＮポートステータスＬＥＤ、ＰＬＣポートステータスＬＥＤなどを備えることができる。例えば、電力／ステータス／セキュリティＬＥＤは２色ＬＥＤ（例えば、緑色及び赤色ＬＥＤ）であり得る。電力／ステータス／セキュリティＬＥＤは、機器起動中又はＷＬＡＮもしくはＰＬＣ接続動作（例えば、Ｗｉ−Ｆｉ  Ｐｒｏｔｅｃｔｅｄ  Ｓｅｔｕｐ（ＷＰＳ）／ＰＬＣ単純接続動作）が実行されているときに緑色を明滅させることができる。電力／ステータス／セキュリティＬＥＤは、起動障害がある場合に赤一色であり得る。電力／ステータス／セキュリティＬＥＤは、機器が電源投入されていない場合にＯＦＦであり得る。別の例として、イーサネットポートステータスＬＥＤは緑色ＬＥＤであり得、イーサネット通信リンクが確立されたときに緑一色を表示することができ、イーサネットがアクティブである場合に緑色を明滅させることができ、イーサネット通信リンクが確立されていない場合にＯＦＦであり得る。別の例として、ＷＬＡＮポートステータスＬＥＤは、ＷＬＡＮ通信リンクが確立されたときに緑一色を表示することができ、ＷＬＡＮがアクティブである場合に緑色を明滅させることができ、ＷＬＡＮ通信リンクが確立されていない場合にＯＦＦであり得る緑色ＬＥＤであり得る。別の例として、ＰＬＣポートステータスＬＥＤは２色（例えば、緑色及び黄色）ＬＥＤであり得る。ＰＬＣポートステータスＬＥＤは、ＰＬＣリンクが確立され、ＰＬＣリンクの品質が品質閾値よりも高い場合に緑一色であり得る。ＰＬＣポートステータスＬＥＤは、ＰＬＣリンクがアクティブである場合に緑色を明滅させることができる。ＰＬＣポートステータスＬＥＤは、ＰＬＣリンクが確立され、ＰＬＣリンクの品質が品質閾値よりも低い場合に黄一色であり得る。ＰＬＣポートステータスＬＥＤは、ＰＬＣリンクが確立されていない場合にＯＦＦであり得る。幾つかの実施形態では、ハイブリッド機器は２つのＬＥＤセット、即ち、ハイブリッド機器のＷＬＡＮ  ＳＴＡモジュールのステータスを示す１つのセットと、ハイブリッド機器のＷＬＡＮ  ＡＰモジュールのステータスを示す別のセットとを備えることができる。例えば、ＷＬＡＮ  ＳＴＡモジュール及びＷＬＡＮ  ＡＰモジュールがＯＦＦにされた場合、電力／ステータス／セキュリティＬＥＤは、赤色を明滅させるように構成され得る。
【０１１４】
[00119]幾つかの実施形態では、非ＣＡＰハイブリッド機器のＷＬＡＮ  ＳＴＡモジュールは、必ずしもＣＡＰと結び付くとは限らない。他の実施形態では（例えば、非ＣＡＰアクセスポイントがＣＡＰよりも良好な性能をもたらす場合）、非ＣＡＰハイブリッド機器のＷＬＡＮ  ＳＴＡモジュールは、最良の性能をもたらす非ＣＡＰアクセスポイントと結び付くことができる。幾つかの実施形態では、ハイブリッド通信ネットワークにおける全てのアクセスポイントは、それらのそれぞれの最大送信電力で送信することができ、各ハイブリッド機器は、ハイブリッド機器の１つ又は複数のネットワークインターフェースを構成するために上述の構成動作を実行することができる。一方、他の実施形態では、ハイブリッド通信ネットワークは、通信ネットワーク全体での大域的最適化を実行し、（最適な性能のために）ハイブリッド通信ネットワークにおける各ハイブリッド機器の各ネットワークインターフェースを構成する方法を決定し、更にハイブリッド通信ネットワークにおける各アクセスポイントのための電力制御を実行する集中ネットワーク機器を備えることができる。幾つかの実施形態では、ハイブリッド機器は、２．４ＧＨｚ帯域、５ＧＨｚ帯域、又は両方の通信帯域上での通信をサポートすることができる。ハイブリッド機器は、ハイブリッド機器が現在動作している通信帯域に関係なく通信帯域能力をブロードキャストするように構成され得る。例えば、ハイブリッド機器は、ハイブリッド機器が２．４ＧＨｚ帯域上でのみ送信している場合でも、それが２．４ＧＨｚ帯域及び５ＧＨｚ帯域上での通信をサポートすることを示す通知を送信することができる。
【０１１５】
[00120]図１〜図５は、ハイブリッド機器のＷＬＡＮインターフェースを構成するための動作を記述しているが、実施形態はそのように限定されない。他の実施形態では、本明細書で説明する動作は、他の適切なタイプの通信プロトコル及び技術を実装するネットワークインターフェース（例えば、ＰＬＣインターフェース）を構成するために実行され得る。図は、ハイブリッド機器間（例えば、ハイブリッド機器１０２とＣＡＰとの間）のＰＬＣリンクを確立すること、ＣＡＰへのＰＬＣ接続品質に少なくとも部分的に基づいてハイブリッド機器を構成することなどを行うための例示的な動作を記述しているが、実施形態はそのように限定されない。他の実施形態では、ＣＡＰとハイブリッド機器１０２の別の適切なネットワークインターフェースとの間の通信リンクが確立され得る（例えば、ＷＬＡＮ、イーサネット、ＭｏＣＡなど）。更に、ハイブリッド機器１０２を構成する方法を決定するために、ＣＡＰへの他の適切な通信リンクの品質が使用され得る。例えば、ハイブリッド機器１０２の構成は、ＷＬＡＮ接続品質、ＷＬＡＮカバレージ、ＣＡＰへのイーサネット接続の速度、ＣＡＰへのＭｏＣＡ接続の品質／速度、及び／又はＣＡＰへの他のワイヤード若しくはワイヤレス通信リンクの品質／速度に基づいて決定され得る。
【０１１６】
[00121]幾つかの例は、イーサネットを介してネットワークゲートウェイ１２４に直接接続されるネットワーク機器としてＣＡＰを記述しているが、実施形態はそのように限定されない。他の実施形態では、ＣＡＰとして指定されるネットワーク機器は、別の適切な通信プロトコル（例えば、ＰＬＣ、ＭｏＣＡなど）を介してネットワークゲートウェイ１２４に接続することができる。更に、幾つかの例は、ネットワークゲートウェイ１２４とは別個のものとしてＣＡＰを記述しているが、実施形態はそのように限定されない。幾つかの実施形態では、ＣＡＰの機能はネットワークゲートウェイ１２４内に統合され得る。ネットワークゲートウェイ１２４（及び結果的にＣＡＰ）は、ロングタームエボリューション（ＬＴＥ）通信プロトコル、デジタル加入者回線通信プロトコル（ｘＤＳＬ）などのような、ワイドエリアネットワーク（ＷＡＮ）に通信可能に接続するための任意の適切なワイヤード又はワイヤレスバックホールを有することができる。幾つかの実施形態では、ネットワーク機器がＬＴＥ及び／又はｘＤＳＬなどの通信技術を介してＷＡＮに結合されると決定したことに応答して、ＣＡＰとしてネットワーク機器（例えば、ＣＡＰ機能が統合されたネットワークゲートウェイ１２４）が選択され得る。更に、幾つかの実施形態では、ＣＡＰは動的に選択されないことがある。代わりに、ネットワークゲートウェイとして構成されることと、ＬＴＥ及び／又はｘＤＳＬなどの）ＷＡＮベースの通信技術を実装することとに少なくとも部分的に基づいて、ネットワークのＣＡＰとしてネットワーク機器が事前構成され得る。
【０１１７】
[00122]当業者によって諒解されるように、本発明の主題の態様は、システム、方法、又はコンピュータプログラム製品として具現化され得る。従って、本発明の主題の態様は、完全にハードウェアの実施形態、ソフトウェアの実施形態（ファームウェア、常駐ソフトウェア、マイクロコードなどを含む）、又はソフトウェアとハードウェアの態様を組み合わせた実施形態の形をとってよく、それらは全て、本明細書では一般的に「回路」、「モジュール」、又は「システム」と呼ばれ得る。更に、本発明の主題の態様は、コンピュータ可読プログラムコードを組み入れた１つ又は複数のコンピュータ可読媒体で具現化されるコンピュータプログラム製品の形をとり得る。
【０１１８】
[00123]１つ又は複数のコンピュータ可読媒体の任意の組合せが利用され得る。コンピュータ可読媒体は、コンピュータ可読信号媒体又はコンピュータ可読記憶媒体であり得る。コンピュータ可読記憶媒体は、例えば、限定はしないが、電子的、磁気的、光学式、電磁的、赤外線式、又は半導体式のシステム、装置、又は機器でもよく、以上の任意の適切な組合せでもよい。コンピュータ可読記憶媒体のより具体的な例（非網羅的リスト）は、１つ又は複数の配線を有する電気的な接続、携帯型のコンピュータディスケット、ハードディスク、ランダムアクセスメモリ（ＲＡＭ）、読取り専用メモリ（ＲＯＭ）、消去可能プログラム可能読取り専用メモリ（ＥＰＲＯＭ、又はフラッシュメモリ）、光ファイバ、携帯型コンパクトディスク読取り専用メモリ（ＣＤ−ＲＯＭ）、光学式記憶機器、磁気記憶機器、あるいは以上の任意の適切な組合せを含む。本明細書の内容では、コンピュータ可読記憶媒体は、命令実行のシステム、装置、もしくは機器によって使用するための、又はそれらに関連して使用するための、プログラムを収容又は記憶できる、任意の有形の媒体でよい。
【０１１９】
[00124]コンピュータ可読信号媒体は、コンピュータ可読プログラムコードが組み入れられた伝搬されるデータ信号を、例えばベースバンド内に、又は搬送波の一部として含み得る。そのような伝搬される信号は、限定はしないが、電磁的、光学式、又はそれらの任意の適切な組合せを含む、様々な形のいずれかをとることができる。コンピュータ可読信号媒体は、コンピュータ可読記憶媒体ではない、及び命令実行のシステム、装置、もしくは機器によって使用するための、又はそれらに関連して使用するための、プログラムを通信、伝搬、又は伝送できる、任意のコンピュータ可読媒体でよい。
【０１２０】
[00125]コンピュータ可読媒体に組み入れられたプログラムコードは、限定はしないが、ワイヤレス、ワイヤライン、光ファイバケーブル、ＲＦなど、又は以上の任意の適切な組合せを含む、任意の適切な媒体を使用して送信され得る。
【０１２１】
[00126]本発明の主題の態様の動作を実行するためのコンピュータプログラムコードは、Ｊａｖａ（登録商標）、Ｓｍａｌｌｔａｌｋ、Ｃ＋＋などのようなオブジェクト指向プログラム言語、及び「Ｃ」プログラミング言語又は同様のプログラミング言語などの従来の手続き型プログラム言語を含む、１つ又は複数のプログラミング言語の任意の組合せで記述され得る。プログラムコードは、全体的にユーザのコンピュータ上で、部分的にユーザのコンピュータ上で、スタンドアロン型ソフトウェアパッケージとして、部分的にユーザのコンピュータ上及び部分的に遠隔のコンピュータ上で、あるいは全体的に遠隔のコンピュータ又はサーバ上で、実行することができる。後半のシナリオの場合、遠隔のコンピュータは、ローカルエリアネットワーク（ＬＡＮ）又はワイドエリアネットワーク（ＷＡＮ）を含む、任意のタイプのネットワークを介してユーザのコンピュータに接続されてもよく、あるいは外部のコンピュータに（例えば、インターネットサービスプロバイダを使用するインターネットを介して）接続が行われてもよい。
【０１２２】
[00127]本発明の主題の実施形態による、方法、装置（システム）、及びコンピュータプログラム製品の流れ図及び／又はブロック図を参照して、本発明の主題の態様が説明される。流れ図及び／又はブロック図の各ブロック、ならびに流れ図及び／又はブロック図のブロックの組合せが、コンピュータプログラム命令によって実施され得ることが理解されよう。これらのコンピュータプログラム命令は、汎用コンピュータ、専用コンピュータ、又はマシンを形成する他のプログラム可能データ処理装置のプロセッサに提供されてよく、それによって、コンピュータ又は他のプログラム可能データ処理装置のプロセッサを介して実行する命令は、流れ図及び／又はブロック図の１つ又は複数のブロックで指定された機能／動作を実施するための手段を生成する。
【０１２３】
[00128]これらのコンピュータプログラム命令はまた、コンピュータ、他のプログラム可能データ処理装置、又は他の機器に特定の方法で機能するよう指示できるコンピュータ可読媒体に記憶されてよく、それによって、コンピュータ可読媒体に記憶された命令が、流れ図及び／又はブロック図の１つ又は複数のブロックで指定された機能／動作を実施する命令を含む製造品を形成する。
【０１２４】
[00129]コンピュータプログラム命令はまた、コンピュータ又は他のプログラム可能装置上で実行される命令が、流れ図及び／又はブロック図の１つ又は複数のブロックで指定された機能／動作を実施するためのプロセスを提供するようなコンピュータ実装プロセスを形成するために、コンピュータ、他のプログラム可能装置、又は他の機器上で一連の動作ステップを実行させるように、コンピュータ、他のプログラム可能データ処理装置、又は他の機器にロードされ得る。
【０１２５】
[00130]図６は、電子機器６００の自動構成のための機構を含む電子機器６００の一実施形態のブロック図である。幾つかの実施形態では、電子機器６００は、ラップトップコンピュータ、タブレットコンピュータ、ネットブック、モバイルフォン、スマートアプライアンス、ゲームコンソール、デスクトップコンピュータ、又は通信能力を備える他の適切な電子機器であり得る。幾つかの実施形態では、電子機器６００は、複数のネットワークインターフェース６０４を備えるハイブリッド機器であり得、ネットワークインターフェース６０４の各々は、電子機器６００を様々な通信ネットワークセグメント（又はアクセス技術）に結合する。電子機器６００は、（複数のプロセッサ、複数のコア、複数のノードを含む場合、及び／又はマルチスレッドを実装する場合などもある）プロセッサユニット６０２を含む。電子機器６００はメモリユニット６０６を含む。メモリユニット６０６は、システムメモリ（例えば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ（登録商標）、ＮＲＡＭ、ＲＲＡＭ（登録商標）、ＳＯＮＯＳ、ＰＲＡＭなどのうちの１つ以上）、又は、コンピュータ可読記憶媒体のすでに上述した可能な実現形態のうちの任意の１つ以上であり得る。電子機器６００はまた、バス６１０（例えば、ＰＣＩ、ＩＳＡ、ＰＣＩエクスプレス、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩなど）と、ワイヤレスネットワークインターフェース（例えば、ＷＬＡＮインターフェース、Ｂｌｕｅｔｏｏｔｈ（登録商標）インターフェース、ＷｉＭＡＸインターフェース、ＺｉｇＢｅｅ（登録商標）インターフェース、ワイヤレスＵＳＢインターフェースなど）及びワイヤードネットワークインターフェース（例えば、電力線通信インターフェース、イーサネットインターフェースなど）のうちの少なくとも１つを含むネットワークインターフェース６０４とを含む。
【０１２６】
[00131]電子機器６００は通信ユニット６０８も含む。通信ユニット６０８は、構成ユニット６１２と監視ユニット６１４とを備える。構成ユニット６１２は、電子機器６００の特徴、動作帯域、動作チャネル、送信電力、及び／又は動作状態とを決定するために、図１〜図５を参照しながら上述した機能を実行することができる。構成ユニット６１２は、電子機器６００のＷＬＡＮモジュールが中央アクセスポイントであるかどうかを決定することができる。中央アクセスポイントではない場合、構成ユニット６１２は、電子機器６００のＷＬＡＮ  ＡＰモジュール及び／又はＷＬＡＮ  Ａ  ＳＴＡモジュールをＯＮにすべきか、又はＯＦＦにすべきかを決定することができる。監視ユニット６１４は、電子機器６００の特徴を決定するための動作を再実行すべきかどうかを決定するために上述の動作を実行することができる。これらの機能のうちのいずれか１つは、ハードウェアにおいて、及び／又はプロセッサユニット６０２上で、部分的に（又は、完全に）実装され得る。例えば、その機能は、特定用途向け集積回路により、プロセッサユニット６０２に実装されたロジックにおいて、周辺機器又はカード上のコプロセッサなどにおいて実装され得る。更に、実現形態は、図６に示されていない、より少数又は追加の構成要素（例えば、ビデオカード、オーディオカード、追加のネットワークインターフェース、周辺機器など）を含む場合がある。例えば、通信ユニット６０８は、バス６１０に結合されたプロセッサユニット６０２とは別個である１つ又は複数の追加のプロセッサを備え得る。プロセッサユニット６０２、メモリユニット６０６、及びネットワークインターフェース６０４は、バス６１０に結合される。メモリユニット６０６は、バス６１０に結合されるように示されているが、プロセッサユニット６０２に結合される場合がある。
【０１２７】
[00132]様々な実装形態及び活用を参照して実施形態が説明されたが、これらの実施形態は例示であり、本発明の主題の範囲はそれらに限定されないということが理解されよう。概して、本明細書で説明した、ハイブリッド機器の自動構成のための技法は、任意の１つ又は複数のハードウェアシステムと一致する設備を用いて実装され得る。多くの変形、修正、追加、及び改善が可能である。
【０１２８】
［00133]単一の事例として本明細書で説明する構成要素、動作、又は構造に複数の事例が提供され得る。最後に、様々な構成要素、動作、データストアの間の境界は、ある程度任意であり、特定の動作が特有の例示的な構成に照らして示される。機能の他の割振りも想定され、本発明の主題の範囲内に入り得る。一般に、例示的な構成において別個の構成要素として提示された構造及び機能は、結合された構造又は構成要素として実装され得る。同様に、単一の構成要素として提示された構造及び機能は、別個の構成要素として実装され得る。これら及び他の変形、修正、追加、及び改善は、本発明の主題の範囲内に入り得る。
以下に本件出願当初の特許請求の範囲に記載された発明を付記する。
［１］  第１のネットワーク機器が通信ネットワークの中央アクセスポイントであるかどうかを決定することと、ここにおいて、前記中央アクセスポイントが第１の通信インターフェースを介して前記通信ネットワークのゲートウェイに結合され、少なくとも第２の通信インターフェースを介して第２のネットワーク機器に結合され、前記第１のネットワーク機器が前記中央アクセスポイントであると決定したことに応答して、前記中央アクセスポイントとして構成された前記第１のネットワーク機器についての動作パラメータを決定することと、前記第１のネットワーク機器が前記中央アクセスポイントではないと決定したことに応答して、前記第１のネットワーク機器における通信リンク性能測定に少なくとも部分的に基づいて、前記第１のネットワーク機器を構成する方法を決定することとを備える方法。
［２］  前記第１の通信インターフェースは、前記第２の通信インターフェースと同じである、［１］に記載の方法。
［３］  前記第１の通信インターフェースは、前記第２の通信インターフェースとは異なる、［１］に記載の方法。
［４］  前記第１のネットワーク機器が前記中央アクセスポイントであるかどうかを前記決定することは、前記第１のネットワーク機器の所定のワイヤードインターフェースが１つの通信ホップにより前記ゲートウェイに結合されると決定したことに応答して、前記第１のネットワーク機器が前記中央アクセスポイントであると決定することを備える、［１］に記載の方法。
［５］  前記第１のネットワーク機器が前記中央アクセスポイントであるかどうかを前記決定することは、前記第１のネットワーク機器のイーサネット（登録商標）インターフェースが１つの通信ホップにより前記ゲートウェイに結合されると決定したことに応答して、前記第１のネットワーク機器が前記中央アクセスポイントであると決定することを備える、［１］に記載の方法。
［６］  前記第１のネットワーク機器が前記中央アクセスポイントであるかどうかを前記決定することは、前記第１のネットワーク機器のイーサネットインターフェースが２つ以上の通信ホップにより前記ゲートウェイに結合されると決定したことに応答して、前記第１のネットワーク機器が前記中央アクセスポイントではないと決定することを備える、［１］に記載の方法。
［７］  前記第１のネットワーク機器が前記中央アクセスポイントであるかどうかを前記決定することは、前記第１のネットワーク機器のイーサネットインターフェースがイーサネット通信媒体を介して前記通信ネットワークの前記ゲートウェイに結合されるかどうかを決定することを備える、［１］に記載の方法。
［８］  前記第１のネットワーク機器が前記中央アクセスポイントであるかどうかを前記決定することは、前記第１のネットワーク機器が前記第１の通信インターフェースを介して前記ゲートウェイに結合されると決定したことに応答して、ワイドエリアネットワークが前記第１のネットワーク機器の前記第１の通信インターフェースからアクセス可能であるかどうかを決定することと、前記ワイドエリアネットワークが前記第１のネットワーク機器の前記第１の通信インターフェースからアクセス可能であると決定したことに応答して、前記第１のネットワーク機器が前記中央アクセスポイントであると決定することとを備える、［１］に記載の方法。
［９］  前記第１のネットワーク機器が前記中央アクセスポイントであるかどうかを前記決定することは、前記第１のネットワーク機器が前記第１の通信インターフェースを介して前記ゲートウェイに結合されると決定したことに応答して、動的ホスト構成プロトコル（ＤＨＣＰ）サーバが前記第１のネットワーク機器の前記第１の通信インターフェースからアクセス可能であるかどうかを決定することと、前記ＤＨＣＰサーバが前記第１のネットワーク機器の前記第１の通信インターフェースからアクセス可能であると決定したことに応答して、前記第１のネットワーク機器が前記中央アクセスポイントであると決定することとを備える、［１］に記載の方法。
［１０］  前記第１のネットワーク機器は、前記第１のネットワーク機器を対応する複数の通信媒体に結合する複数のネットワークインターフェースを備える、［１］に記載の方法。
［１１］  前記第１のネットワーク機器が前記中央アクセスポイントであるかどうかを前記決定することは、前記第１のネットワーク機器が前記第１の通信インターフェースを介して１つの通信ホップにより前記ゲートウェイに結合されると決定したことに応答して、前記第１のネットワーク機器が前記中央アクセスポイントであると決定することを備える、［１］に記載の方法。
［１２］  前記動作パラメータは、動作通信帯域、動作通信チャネル、前記第１のネットワーク機器のネットワークインターフェースを使用可能にすべきか、又は使用不可にすべきか、及び送信電力のうちの少なくとも１つを備える、［１］に記載の方法。
［１３］  前記第１のネットワーク機器が前記中央アクセスポイントであると決定したことと、前記通信ネットワークがレガシーアクセスポイントを備えていると決定したこととに応答して、前記中央アクセスポイントとして構成された前記第１のネットワーク機器についての前記動作パラメータを前記決定することは、前記中央アクセスポイントの前記動作パラメータを、前記レガシーアクセスポイントの対応する動作パラメータに従って構成することを備える、［１］に記載の方法。
［１４］  前記第１のネットワーク機器は、前記第１のネットワーク機器が前記通信ネットワークの前記中央アクセスポイントであるかどうかを決定するように構成され、前記レガシーアクセスポイントは、前記レガシーアクセスポイントが前記通信ネットワークの前記中央アクセスポイントであるかどうかを決定するように構成されない、［１３］に記載の方法。
［１５］  前記第１のネットワーク機器が前記中央アクセスポイントであると決定したことに応答して、前記中央アクセスポイントとして構成された前記第１のネットワーク機器についての前記動作パラメータを前記決定することは、前記第１のネットワーク機器が動作するように構成される動作通信帯域を識別することと、前記動作通信帯域内の好ましい動作通信チャネルを選択することと、前記動作通信帯域内の前記好ましい動作通信チャネル上で通信を送信するように前記第１のネットワーク機器を構成することとを備える、［１］に記載の方法。
［１６］  前記好ましい動作通信チャネル上で前記中央アクセスポイントから情報を送信するための送信電力レベルを選択することを更に備える、［１５］に記載の方法。
［１７］  前記第１のネットワーク機器が前記中央アクセスポイントではないと決定したことに応答して、前記方法は、前記通信ネットワークの前記中央アクセスポイントを識別する指示を前記第１のネットワーク機器が受信したかどうかを決定することと、前記中央アクセスポイントの前記指示を前記第１のネットワーク機器が受信していないと決定したことに応答して、前記中央アクセスポイントを識別して前記中央アクセスポイントの通信資格情報を決定するためのメッセージを前記通信ネットワークにおいてブロードキャストすることとを更に備える、［１］に記載の方法。
［１８］  前記中央アクセスポイントの前記指示を前記第１のネットワーク機器が受信したと決定したことに応答して、前記方法は、前記中央アクセスポイントに関連する前記通信資格情報に少なくとも部分的に基づいて、前記第１のネットワーク機器と前記中央アクセスポイントとの間の通信リンクを確立することと、前記第１のネットワーク機器と前記中央アクセスポイントとの間の前記通信リンクを確立した後に前記第１のネットワーク機器を構成する方法を決定することとを備える、［１７］に記載の方法。
［１９］  前記第１のネットワーク機器が前記中央アクセスポイントではないと決定したことに応答して、前記第１のネットワーク機器を構成する方法を前記決定することは、前記第１のネットワーク機器と前記中央アクセスポイントとの間のワイヤレス通信リンクの品質、前記第１のネットワーク機器と前記中央アクセスポイントとの間の電力線通信（ＰＬＣ）リンクの品質、及び前記第１のネットワーク機器におけるワイヤレスカバレージの品質に少なくとも部分的に基づく、［１］に記載の方法。
［２０］  前記第１のネットワーク機器と前記中央アクセスポイントとの間の前記ワイヤレス通信リンクの前記品質は、前記第１のネットワーク機器のワイヤレスネットワークインターフェースにおいて前記中央アクセスポイントから受信されたワイヤレス信号の信号強度であり、前記第１のネットワーク機器と前記中央アクセスポイントとの間の前記電力線通信リンクの前記品質は、前記第１のネットワーク機器の電力線ネットワークインターフェースにおいて前記中央アクセスポイントから受信された電力線信号の信号強度である、［１９］に記載の方法。
［２１］  前記第１のネットワーク機器におけるワイヤレスカバレージの前記品質は、前記通信ネットワークの複数のアクセスポイントの対応する各々からの前記第１のネットワーク機器のワイヤレスネットワークインターフェースにおいて測定された複数の信号強度値のうちの最大値であり、ここにおいて、前記複数のアクセスポイントが前記中央アクセスポイントを備えている、［１９］に記載の方法。
［２２］  前記第１のネットワーク機器が前記中央アクセスポイントではないと決定したことに応答して、前記第１のネットワーク機器を構成する方法を前記決定することは、前記第１のネットワーク機器のアクセスポイントモジュールを使用可能にすべきか、又は使用不可にすべきかを決定すること、及び  前記第１のネットワーク機器のクライアントステーションモジュールを使用可能にすべきか、又は使用不可にすべきかを決定することのうちの少なくとも１つを備える、［１９］に記載の方法。
［２３］  前記第１のネットワーク機器が前記中央アクセスポイントではないと決定したことに応答して、前記第１のネットワーク機器を構成する方法を前記決定することは、前記第１のネットワーク機器を構成する方法を決定するために、前記第１のネットワーク機器と前記中央アクセスポイントとの間の前記ワイヤレス通信リンクの前記品質と、前記第１のネットワーク機器と前記中央アクセスポイントとの間の前記ＰＬＣリンクの前記品質と、前記第１のネットワーク機器と前記中央アクセスポイントとの間の通信ホップの数と、前記第１のネットワーク機器におけるワイヤレスカバレージの前記品質とを分析することを備える、［１９］に記載の方法。
［２４］  前記第１のネットワーク機器を構成する方法を前記決定することは、前記第１のネットワーク機器のアクセスポイントモジュールをアクティブ化することと、前記第１のネットワーク機器のクライアントステーションモジュールを使用不可にすることとによって、アクセスポイントとして前記第１のネットワーク機器を構成すべきか、前記第１のネットワーク機器が前記通信ネットワークにおけるアクセスポイントと結び付くことができるように、前記第１のネットワーク機器の前記アクセスポイントモジュールを使用不可にすることと、前記第１のネットワーク機器の前記クライアントステーションモジュールをアクティブ化することとによって、シンク機器として前記第１のネットワーク機器を構成すべきか、前記第１のネットワーク機器の前記アクセスポイントモジュールと前記クライアントステーションモジュールの両方をアクティブ化することによって、中継機器として前記第１のネットワーク機器を構成すべきか、又は  前記第１のネットワーク機器の前記アクセスポイントモジュールと前記クライアントステーションモジュールの両方を使用不可にすることによって、前記第１のネットワーク機器のワイヤレス機能を使用不可にすべきかを決定することを備える、［２３］に記載の方法。
［２５］  アクセスポイントとして前記第１のネットワーク機器を構成すべきであると決定したことに応答して、前記方法は、前記中央アクセスポイント及び前記第１のネットワーク機器の前記アクセスポイントモジュールが共通の通信チャネル上で動作するように構成されると決定することと、前記中央アクセスポイント及び前記第１のネットワーク機器の前記アクセスポイントモジュールが共通の通信チャネル上で動作するように構成されると前記決定したことに応答して、中継機器として前記第１のネットワーク機器を構成すべきかどうかを決定することと、中継機器として前記第１のネットワーク機器を構成すべきであると決定したことに応答して、前記第１のネットワーク機器の前記クライアントステーションモジュールと前記第１のネットワーク機器の前記アクセスポイントモジュールとをアクティブ化することによって、中継機器として前記第１のネットワーク機器を構成することとを更に備える、［２４］に記載の方法。
［２６］  前記第１のネットワーク機器が前記中央アクセスポイントではないと決定したことに応答して、前記方法は、前記中央アクセスポイントの前記動作パラメータ及び前記第１のネットワーク機器の構成に少なくとも部分的に基づいて、前記第１のネットワーク機器についての前記動作パラメータを決定することを更に備える、［１］に記載の方法。
［２７］  前記第１のネットワーク機器が前記中央アクセスポイントであるかどうかを前記決定したことに少なくとも部分的に基づいて、前記第１のネットワーク機器のネットワークインターフェースのブリッジング機能を使用可能にすべきかどうかを決定することを更に備える、［１］に記載の方法。
［２８］  前記第１のネットワーク機器が前記中央アクセスポイントであるかどうかを前記決定する前に、前記第１のネットワーク機器のネットワークインターフェースのブリッジング挙動を不可にすることを更に備える、［１］に記載の方法。
［２９］  前記第１のネットワーク機器が前記通信ネットワークの前記中央アクセスポイントであるかどうかを決定するための動作を再実行すべきかどうかを決定するために、前記通信ネットワークを監視することを更に備える、［１］に記載の方法。
［３０］  前記通信ネットワークを前記監視することは、前記通信ネットワークの前記第１のネットワーク機器を構成する方法を決定するための動作を再実行すべきかどうかを決定するために、前記第１のネットワーク機器に関連する性能測定を監視することを備える、［２９］に記載の方法。
［３１］  プロセッサと、前記プロセッサと結合された構成ユニットとを備える第１のネットワーク機器であって、前記構成ユニットは、前記第１のネットワーク機器が通信ネットワークの中央アクセスポイントであるかどうかを決定することと、ここにおいて、前記中央アクセスポイントが第１の通信インターフェースを介して前記通信ネットワークのゲートウェイに結合され、少なくとも第２の通信インターフェースを介して第２のネットワーク機器に結合され、前記第１のネットワーク機器が前記中央アクセスポイントであると決定したことに応答して、前記中央アクセスポイントとして構成された前記第１のネットワーク機器についての動作パラメータを決定することと、前記第１のネットワーク機器が前記中央アクセスポイントではないと決定したことに応答して、前記第１のネットワーク機器における通信リンク性能測定に少なくとも部分的に基づいて、前記第１のネットワーク機器を構成する方法を決定することとを行うように構成される、第１のネットワーク機器。
［３２］  前記構成ユニットは、前記第１のネットワーク機器が前記第１の通信インターフェースを介して前記ゲートウェイに結合されると決定したことに応答して、ワイドエリアネットワークが前記第１のネットワーク機器の前記第１の通信インターフェースからアクセス可能であるかどうかを決定することと、前記ワイドエリアネットワークが前記第１のネットワーク機器の前記第１の通信インターフェースからアクセス可能であると決定したことに応答して、前記第１のネットワーク機器が前記中央アクセスポイントであると決定することとを行うように構成される、［３１］に記載の第１のネットワーク機器。
［３３］  前記第１のネットワーク機器が前記中央アクセスポイントではないと決定したことに応答して、前記第１のネットワーク機器を構成する方法を決定するように構成された前記構成ユニットは、前記第１のネットワーク機器と前記中央アクセスポイントとの間のワイヤレス通信リンクの品質、前記第１のネットワーク機器と前記中央アクセスポイントとの間の電力線通信（ＰＬＣ）リンクの品質、及び前記第１のネットワーク機器におけるワイヤレスカバレージの品質に少なくとも部分的に基づく、［３１］に記載の第１のネットワーク機器。
［３４］  前記第１のネットワーク機器が前記中央アクセスポイントではないと決定したことに応答して、前記第１のネットワーク機器を構成する方法を決定するように構成された前記構成ユニットは、前記第１のネットワーク機器を構成する方法を決定するために、前記第１のネットワーク機器と前記中央アクセスポイントとの間の前記ワイヤレス通信リンクの前記品質と、前記第１のネットワーク機器と前記中央アクセスポイントとの間の前記ＰＬＣリンクの前記品質と、前記第１のネットワーク機器と前記中央アクセスポイントとの間の通信ホップの数と、前記第１のネットワーク機器におけるワイヤレスカバレージの前記品質とを分析するように構成された前記構成ユニットを備える、［３３］に記載の第１のネットワーク機器。
［３５］  前記構成ユニットは、前記第１のネットワーク機器のアクセスポイントモジュールをアクティブ化することと、前記第１のネットワーク機器のクライアントステーションモジュールを使用不可にすることとによって、アクセスポイントとして前記第１のネットワーク機器を構成すべきか、前記第１のネットワーク機器が前記通信ネットワークにおけるアクセスポイントと結び付くことができるように、前記第１のネットワーク機器の前記アクセスポイントモジュールを使用不可にすることと、前記第１のネットワーク機器の前記クライアントステーションモジュールをアクティブ化することとによって、シンク機器として前記第１のネットワーク機器を構成すべきか、前記第１のネットワーク機器の前記アクセスポイントモジュールと前記クライアントステーションモジュールの両方をアクティブ化することによって、中継機器として前記第１のネットワーク機器を構成すべきか、又は  前記第１のネットワーク機器の前記アクセスポイントモジュールと前記クライアントステーションモジュールの両方を使用不可にすることによって、前記第１のネットワーク機器のワイヤレス機能を使用不可にすべきかを決定するように構成される、［３４］に記載の第１のネットワーク機器。
［３６］  アクセスポイントとして前記第１のネットワーク機器を構成すべきであると決定したことに応答して、前記構成ユニットは、前記中央アクセスポイント及び前記第１のネットワーク機器の前記アクセスポイントモジュールが共通の通信チャネル上で動作するように構成されると決定することと、前記中央アクセスポイント及び前記第１のネットワーク機器の前記アクセスポイントモジュールが共通の通信チャネル上で動作するように構成されると決定したことに応答して、中継機器として前記第１のネットワーク機器を構成すべきかどうかを決定することと、中継機器として前記第１のネットワーク機器を構成すべきであると決定したことに応答して、前記第１のネットワーク機器の前記クライアントステーションモジュールと前記第１のネットワーク機器の前記アクセスポイントモジュールとをアクティブ化することによって、中継機器として前記第１のネットワーク機器を構成することとを行うように更に構成される、［３５］に記載の第１のネットワーク機器。
［３７］  少なくとも前記プロセッサと結合された監視ユニットを更に備え、前記監視ユニットは、前記通信ネットワークの前記第１のネットワーク機器を構成する方法を決定するための動作を再実行すべきかどうかを決定するために、前記通信ネットワークを監視するように構成される、［３１］に記載の第１のネットワーク機器。
［３８］  機械実行可能命令を記憶した機械可読記憶媒体であって、前記機械実行可能命令は、第１のネットワーク機器が通信ネットワークの中央アクセスポイントであるかどうかを決定することと、ここにおいて、前記中央アクセスポイントが第１の通信インターフェースを介して前記通信ネットワークのゲートウェイに結合され、少なくとも第２の通信インターフェースを介して第２のネットワーク機器に結合され、前記第１のネットワーク機器が前記中央アクセスポイントであると決定したことに応答して、前記中央アクセスポイントとして構成された前記第１のネットワーク機器についての動作パラメータを決定することと、前記第１のネットワーク機器が前記中央アクセスポイントではないと決定したことに応答して、前記第１のネットワーク機器における通信リンク性能測定に少なくとも部分的に基づいて、前記第１のネットワーク機器を構成する方法を決定することとを行うための命令を備える、機械可読記憶媒体。
［３９］  前記第１のネットワーク機器が前記中央アクセスポイントではないと決定したことに応答して、前記第１のネットワーク機器を構成する方法を決定するための前記命令は、前記第１のネットワーク機器と前記中央アクセスポイントとの間のワイヤレス通信リンクの品質、前記第１のネットワーク機器と前記中央アクセスポイントとの間の電力線通信（ＰＬＣ）リンクの品質、及び前記第１のネットワーク機器におけるワイヤレスカバレージの品質に少なくとも部分的に基づく、［３８］に記載の機械可読記憶媒体。
［４０］  前記第１のネットワーク機器が前記中央アクセスポイントではないと決定したことに応答して、前記第１のネットワーク機器を構成する方法を決定するための前記命令は、前記第１のネットワーク機器を構成する方法を決定するために、前記第１のネットワーク機器と前記中央アクセスポイントとの間の前記ワイヤレス通信リンクの前記品質と、前記第１のネットワーク機器と前記中央アクセスポイントとの間の前記ＰＬＣリンクの前記品質と、前記第１のネットワーク機器と前記中央アクセスポイントとの間の通信ホップの数と、前記第１のネットワーク機器におけるワイヤレスカバレージの前記品質とを分析するための命令を備える、［３９］に記載の機械可読記憶媒体。
［４１］  前記第１のネットワーク機器を構成する方法を決定するための前記命令は、前記第１のネットワーク機器のアクセスポイントモジュールをアクティブ化することと、前記第１のネットワーク機器のクライアントステーションモジュールを使用不可にすることとによって、アクセスポイントとして前記第１のネットワーク機器を構成すべきか、前記第１のネットワーク機器が前記通信ネットワークにおけるアクセスポイントと結び付くことができるように、前記第１のネットワーク機器の前記アクセスポイントモジュールを使用不可にすることと、前記第１のネットワーク機器の前記クライアントステーションモジュールをアクティブ化することとによって、シンク機器として前記第１のネットワーク機器を構成すべきか、前記第１のネットワーク機器の前記アクセスポイントモジュールと前記クライアントステーションモジュールの両方をアクティブ化することによって、中継機器として前記第１のネットワーク機器を構成すべきか、又は  前記第１のネットワーク機器の前記アクセスポイントモジュールと前記クライアントステーションモジュールの両方を使用不可にすることによって、前記第１のネットワーク機器のワイヤレス機能を使用不可にすべきかを決定するための命令を備える、［４０］に記載の機械可読記憶媒体。
［４２］  アクセスポイントとして前記第１のネットワーク機器を構成すべきであると決定したことに応答して、前記命令は、前記中央アクセスポイント及び前記第１のネットワーク機器の前記アクセスポイントモジュールが共通の通信チャネル上で動作するように構成されると決定することと、前記中央アクセスポイント及び前記第１のネットワーク機器の前記アクセスポイントモジュールが共通の通信チャネル上で動作するように構成されると決定したことに応答して、中継機器として前記第１のネットワーク機器を構成すべきかどうかを決定することと、中継機器として前記第１のネットワーク機器を構成すべきであると決定したことに応答して、前記第１のネットワーク機器の前記クライアントステーションモジュールと前記第１のネットワーク機器の前記アクセスポイントモジュールとをアクティブ化することによって、中継機器として前記第１のネットワーク機器を構成することとを行うための命令を更に備える、［４１］に記載の機械可読記憶媒体。
［４３］  前記命令は、前記第１のネットワーク機器を構成する方法を決定するための動作を再実行すべきかどうかを決定するために、前記通信ネットワークを監視するための命令を更に備える、［３８］に記載の機械可読記憶媒体。
【図１】
0006312827.tif 000002
【図２】
0006312827.tif 000003
【図３】
0006312827.tif 000004
【図４】
0006312827.tif 000005
【図５】
0006312827.tif 000006
【図６】
0006312827.tif 000007